(57)【特許請求の範囲】
【請求項１】
データ信号に対してＤＦＴを適用することで周波数スペクトルを生成するＤＦＴ部と、前記ＤＦＴ部が出力する周波数スペクトルの一部を削除するクリッピング部と、受信装置から通知される自動再送要求情報を抽出する応答信号抽出部とを備え、自動再送要求情報によって再送を行う送信装置であって、
前記クリッピング部は、応答信号が再送を要求する信号である場合、前記ＤＦＴ部の出力する周波数スペクトルに対して、前回までの送信とは異なる周波数スペクトルを削除することを特徴とする送信装置。
【請求項２】
前記クリッピング部は、前回までの送信で削除した周波数スペクトルを優先的に送信するように、前記ＤＦＴ部が出力する周波数スペクトル周波数スペクトルを削除することを特徴とする請求項１記載の送信装置。
【請求項３】
前記クリッピング部は、前回の送信で削除した周波数スペクトルの量とは異なる量の周波数スペクトルを削除することを特徴とする請求項１記載の送信装置。
【請求項４】
前記クリッピング部で削除する周波数スペクトルの量に応じて、送信電力を制御することを特徴とする請求項３記載の送信装置。
【請求項５】
データ信号に対してＤＦＴを適用することで周波数スペクトルを生成し、前記周波数スペクトルの一部を削除し、受信装置から通知される応答信号を抽出し、応答信号に応じて再送を行う送信装置と、前記送信装置から送信された信号を受信する受信装置と、を備える通信システムであって、
前記送信装置は、応答信号が再送を要求する信号である場合、前記ＤＦＴ部の出力する周波数スペクトルに対して、前回までの送信とは異なる周波数スペクトルを削除することを特徴とする通信システム。
【発明の詳細な説明】
【技術分野】
【０００１】
本発明は、通信システム、送信装置、及び、受信装置に関する。
【背景技術】
【０００２】
次世代の移動通信では、大容量伝送が求められているため、送信信号を配置する帯域の広帯域化が重要となる。しかしながら広帯域化を行なうと、送信信号はマルチパス（伝送路）の影響を大きく受けて受信装置で受信される。つまり広帯域シングルキャリア伝送では、マルチパスによるシンボル間干渉（ＩＳＩ、Ｉｎｔｅｒ−Ｓｙｍｂｏｌ  Ｉｎｔｅｒｆｅｒｅｎｃｅ）によって特性が著しく劣化してしまう。マルチパスを周波数で観測すると周波数選択性フェージングとなっており、パス数が多くなるに従って、周波数選択性が強くなる。
そこで近年、シングルキャリア伝送において、受信装置で信号を周波数に変換し、周波数領域で周波数選択性フェージングを補償し、その後時間領域信号に戻す、周波数領域等化が比較的低演算量でシンボル間干渉を抑圧できる技術として広く知られるようになっている。しかしながら周波数領域等化ではＩＳＩを完全に抑圧することはできないため、ターボ等化が注目を集めている。ターボ等化では、周波数領域等化後のビットからＩＳＩレプリカを生成し、受信信号から減算することでＩＳＩを除去する。
【０００３】
また、特許文献１および特許文献２では、送信データの周波数スペクトル（以下、単にスペクトルとも称する）の一部を削除して送信する技術が提案されている。図２２にその概略を示す。
図２２（Ａ）、（Ｂ）は、それぞれ、スペクトルの一部を削除しない場合、削除する場合の概略図である。なお、図２２（Ａ）、（Ｂ）において、横軸は周波数を示す。
図２２（Ａ）において、符号Ｐ１１を付したスペクトルＰ１１は、シングルキャリア伝送のスペクトルを表し、削除されないで送信されたスペクトルを表す。図２２（Ｂ）において、符号Ｐ１２を付したスペクトルＰ１２は、シングルキャリア伝送のスペクトルを表し、一部（周波数がｆｃより高い成分）が削除されて送信されたスペクトルを表す。スペクトルＰ１２を用いた伝送では、送信に使われる周波数帯域は少ないにもかかわらず、スペクトルＰ１１を用いた場合と同じ情報量を送信することができるため、周波数利用効率を増加させることができる。
しかしながら、スペクトルＰ１２を用いた伝送では、受信装置でスペクトルが欠落（クリップ、周波数領域パンクチャ、削除とも称する）されて受信されることになる。この結果、すべてのスペクトルが送信された場合と比較して、伝送特性が劣化してしまう。そこでこのような伝送では、スペクトルを削除して送信した周波数は伝搬路利得がゼロであった、つまり周波数選択性フェージングにより、利得が落ち込んだ伝搬路を経由して受信されたとみなして、ターボ等化処理等を行なうことが提案されている。
【０００４】
特許文献１および特許文献２では、繰り返し等化処理によって特性改善を図っているが、実際の移動通信システムでは、極度に強い周波数選択性フェージングではターボ等化処理を行なっても伝送に誤りが生じる場合が存在する。そこで多くの無線通信システムでは、ＨＡＲＱ（Hybrid Automatic Repeat reQuest、ハイブリッド自動再送要求。ハイブリッドＡＲＱとも称する）と呼ばれる技術が採用されている。ＨＡＲＱにおいて受信装置では、送信装置がデータに付加した誤り検出用信号を用いて、正しくデータ（パケット）を復号できたかどうかを判定する。受信装置は、パケットを正しく復号できた場合にはＡＣＫ（ACKnowledge）信号を送信装置に通知し、送信装置は次のパケットを送信する。一方、受信装置は、パケットを正しく復号できなかった場合にはＮＡＫ（Negative AcKnowledge）信号を送信装置に通知し、送信装置はパケットを再送する。
【０００５】
この再送手法として、Ｃｈａｓｅ  Ｃｏｍｂｉｎｉｎｇ（チェイスコンバイニング、ＣＣ）と呼ばれる再送手法（ＣＣ再送という）が知られている。
図２３は、ＣＣ再送を説明するための概略図である。なお、図２３において、横軸は周波数を示す。
図２３において、符号Ｐ２１を付したスペクトルＰ２１は、初送機会のスペクトルを表す。符号Ｐ２２を付したスペクトルＰ２２は、再送機会のスペクトルを表す。図２３に示すように、ＣＣ再送では、再送機会に初送機会とまったく同じデータを再送する。ＣＣ再送を採用した通信システムでは、再送機会に受信装置での雑音や伝搬路状態が初送機会と変わった場合には、受信装置は、送信された信号を正しく復号できる。
【０００６】
また、ＣＣ再送とは異なる再送手法として、Ｉｎｃｒｅｍｅｎｔａｌ  Ｒｅｄｕｎｄａｎｃｙ（ＩＲ）と呼ばれる再送方法（ＩＲ再送という）が知られている。ＩＲ再送では、初送機会にパンクチャして送信しなかったパリティビットを、パンクチャせずに送信したビットよりも優先して送信する手法である。ＩＲ再送を採用した通信システムでは、異なるビットを送信するので、受信装置は、同じパリティビットを送信するＣＣ再送よりも符号化利得を向上させることができる。
【先行技術文献】
【特許文献】
【０００７】
【特許文献１】特開２００８−２１９１４４号公報
【特許文献２】特開２００９−１５９４１３号公報
【発明の概要】
【発明が解決しようとする課題】
【０００８】
広帯域シングルキャリア伝送において、各直交周波数ポイントでのスペクトルのエネルギーの集合平均は一定値である。しかしながら送信ビット列がランダム化されている場合、瞬時の周波数スペクトルのエネルギーは周波数毎に異なる。
図２４（Ａ）、（Ｂ）は、それぞれ、低周波数スペクトルをクリップする場合、高周波数スペクトルをクリップする場合の周波数スペクトルを示す概略図である。なお、図２４（Ａ）、（Ｂ）において、横軸は周波数を示す。図２４（Ａ）、（Ｂ）において、符号Ｐ３１を付した鎖線で囲ったスペクトルＰ３１（低周波数スペクトル）、及び、Ｐ３２を付した鎖線で囲ったスペクトルＰ３２（高周波数スペクトル）は、クリップするスペクトルである。図２４は、スペクトルＰ３１は、スペクトルＰ３２と比較して低周波数のスペクトルであることを示す。
【０００９】
図２４の周波数スペクトルは、高周波数のスペクトル成分が多い、つまり、高周波数にエネルギーが偏っている。このため、図２４（Ｂ）のように高周波数のスペクトルＰ３２をクリップする場合は、図２４（Ｂ）のように高周波数のスペクトルＰ３２をクリップする場合は、図２４（Ａ）のように低周波数のスペクトルＰ３１をクリップする場合と比較して、多くのエネルギーを欠落させてしまうことになる。
したがって、同じスペクトルを再送しても、スペクトルＰ３２を送信する場合は、スペクトルＰ３１を送信する場合と比較して、受信装置では、エネルギーの欠落のために再び誤りが発生する可能性が高いという欠点があった。また、エネルギーの偏り方は、送信する情報ビットによって毎回異なるため、逆に、スペクトルＰ３１を送信する場合が、スペクトルＰ３２を送信する場合と比較して、誤りが発生する可能性が高くなる場合もある。
このように、従来技術では、再送制御を行う通信システムにおいて、情報ビットの再送機会に誤りが発生することによって、伝送効率が低下するという欠点があった。
【００１０】
本発明は上記の点に鑑みてなされたものであり、再送制御を行う通信システムにおいて、伝送効率を向上できる通信システム、送信装置、及び、受信装置を提供する。
【課題を解決するための手段】
【００１１】
（１）本発明は上記の課題を解決するためになされたものであり、本発明の一態様は、符号化した情報ビット系列からスペクトルを生成し、生成したスペクトルの一部を削除した送信スペクトルを送信する送信装置と、前記送信装置から送信された送信スペクトルを受信して復号する受信装置と、を備える通信システムにおいて、前記送信装置は、前記情報ビット系列を再送信するときに、前の送信とは異なる送信スペクトルを生成して送信し、前記受信装置は、前記情報ビット系列を再受信するときに、前の受信とは異なる送信スペクトルを受信して復号することを特徴とする通信システムである。
【００１２】
（２）また、本発明の一態様は、上記の通信システムにおいて、前記送信装置は、前記前の送信とは異なるスペクトルを削除した送信スペクトルを生成し、前記受信装置は、前記前の受信とは異なるスペクトルが削除された送信スペクトルを復号することを特徴とする。
【００１３】
（３）また、本発明の一態様は、上記の通信システムにおいて、前記送信装置は、前記前の送信で削除したスペクトルを、削除しなかったスペクトルより優先して送信することを特徴とする。
【００１４】
（４）また、本発明の一態様は、上記の通信システムにおいて、前記送信装置は、前記前の送信とは異なる帯域幅のスペクトルを削除した送信スペクトルを送信し、前記受信装置は、前記前の送信とは異なる帯域幅のスペクトルを削除された送信スペクトルを受信して復号することを特徴とする。
【００１５】
（５）また、本発明の一態様は、上記の通信システムにおいて、前記送信装置は、削除する帯域幅に応じて送信スペクトルの送信電力を決定することを特徴とする。
【００１６】
（６）また、本発明の一態様は、上記の通信システムにおいて、前記送信装置は、複数のストリーム毎に前記送信スペクトルを生成し、生成した送信スペクトルを空間多重して送信し、前記ストリーム毎に、前記情報ビット系列を再送信するときに、前の送信とは異なる送信スペクトルを生成し、前記受信装置は、前記ストリーム毎に、前記情報ビット系列を再受信するときに、前の受信とは異なる送信信号を受信して復号することを特徴とする。
【００１７】
（７）また、本発明の一態様は、上記の通信システムにおいて、前記前の送信とは、再送信する情報ビット系列についての初めて送信であり、前記前の受信とは、再送信された情報ビット系列についての初めて受信であることを特徴とする。
【００１８】
（８）また、本発明の一態様は、符号化した情報ビット系列からスペクトルを生成し、生成したスペクトルの一部を削除した送信スペクトルを送信する送信装置において、前記情報ビット系列を再送信するときに、前の送信とは異なる送信スペクトルを生成して送信することを特徴とする送信装置である。
【００１９】
（９）また、本発明の一態様は、符号化された情報ビット系列からスペクトルが生成され、生成されたスペクトルの一部が削除された送信スペクトルを受信して復号する受信装置において、前記情報ビット系列を再受信するときに、前の受信とは異なる送信スペクトルを受信して復号することを特徴とする受信装置である。
【００２０】
（１０）また、本発明の一態様は、符号化された情報ビット系列を再送信するときに、前の送信とは異なる送信スペクトルになるように、当該情報ビット系列から生成されたスペクトルの一部を削除した送信スペクトルを生成することを特徴とするプロセッサである。
【００２１】
（１１）また、本発明の一態様は、符号化された情報ビット系列を再受信するときに、前の受信とは異なる送信スペクトルになるように、当該情報ビット系列から生成されたスペクトルの一部を削除した送信スペクトルを受信して復号することを特徴とするプロセッサである。
【発明の効果】
【００２２】
本発明によれば、再送制御を行う通信システムにおいて、伝送効率を向上できる。
【図面の簡単な説明】
【００２３】
【図１】本発明の実施形態に係る通信システムを示す概略図である。
【図２】本発明の第１の実施形態に係る移動局装置の構成を示す概略ブロック図である。
【図３】本実施形態に係る送信電力について説明するための概略図である。
【図４】本実施形態に係る周波数スペクトルの一例を示す概略図である。
【図５】本実施形態に係る基地局装置の構成を示す概略ブロック図である。
【図６】本実施形態に係る繰り返し等化部の構成を示す概略ブロック図である。
【図７】本実施形態に係るシミュレーション結果を示す概略図である。
【図８】本発明の第２の実施形態に係る移動局装置の構成を示す概略ブロック図である。
【図９】本実施形態に係る出力ビット情報テーブルの一例を示す概略図である。
【図１０】本実施形態に係る周波数スペクトルの一例を示す概略図である。
【図１１】本実施形態の変形例１に係る出力ビット情報テーブルの一例を示す概略図である。
【図１２】本実施形態の変形例１に係る符号化部及びバッファ部の出力するビットを示す概略図である。
【図１３】本実施形態に係る基地局装置の構成を示す概略ブロック図である。
【図１４】本実施形態に係る繰り返し等化部の構成を示す概略ブロック図である。
【図１５】本発明の第３の実施形態に係る基地局装置の構成を示す概略ブロック図である。
【図１６】本実施形態に係る周波数スペクトルの一例を示す概略図である。
【図１７】本実施形態に係る移動局装置の構成を示す概略ブロック図である。
【図１８】本実施形態に係る繰り返し等化部の構成を示す概略ブロック図である。
【図１９】各実施形態の変形例２に係る周波数スペクトルの一例を示す概略図である。
【図２０】各実施形態の変形例３に係る周波数スペクトルの一例を示す概略図である。
【図２１】各実施形態の変形例４に係る周波数スペクトルの一例を示す概略図である。
【図２２】従来技術に係るスペクトルの一例を示す概略図である。
【図２３】従来技術に係るスペクトルの別の一例を示す概略図である。
【図２４】クリップしたスペクトルを説明するための説明図である。
【発明を実施するための形態】
【００２４】
以下、図面を参照しながら本発明の実施形態について詳しく説明する。
図１は、本発明の実施形態に係る通信システムを示す概略図である。この図において、通信システムは、移動局装置１と基地局装置２を具備する。移動局装置１は、基地局装置２に対して信号を送信する（移動局装置から基地局装置への通信を上りリンクという）。また、基地局装置２は、移動局装置１に対して信号を送信する（基地局装置から移動局装置への通信を下りリンクという）。
図１の通信システムでは、ＨＡＲＱ（Hybrid Automatic Repeat reQuest、自動再送要求）が行われる。例えば、上りリンクにおいて、基地局装置２では、移動局装置１がデータに付加した誤り検出用信号を用いて、正しくデータ（パケット）を復号できたかどうかを判定する。基地局装置２は、パケットを正しく復号できた場合にはＡＣＫ（ACKnowledge）信号を移動局装置１に通知し、移動局装置１は次のパケットを送信する。一方、基地局装置２は、パケットを正しく復号できなかった場合にはＮＡＫ（Negative AcKnowledge）信号を移動局装置１に通知し、移動局装置１はパケットを再送する。同様に、通信システムでは、下りリンクについてもＨＡＲＱが行われてもよい。また、ＨＡＲＱは、上り又は下りの一方又は両方で行われてもよい。
【００２５】
なお、以下の各実施形態では、通信方式がシングルキャリア伝送の場合について説明するが、本発明はこれに限らず、ＯＦＤＭ（Orthogonal Frequency Division Multipling、直交周波数分割多重）やＭＣ−ＣＤＭＡ（Multi-Carrier Code Division Multiple Access、マルチキャリア符号分割多元接続）等のマルチキャリア伝送の通信システムに適用してもよい。また、第１、２の実施形態では、上りリンクの場合、つまり、移動局装置１が送信したデータに対して、基地局装置２がＡＣＫ又はＮＡＫを通知する場合について説明する。しかし、本発明はこれに限らず、下りリンクに適用してもよい。また各実施形態において送信アンテナ数および受信アンテナ数は、１本であっても複数本であってもよい。また、複数の場合には、ＭＩＭＯ（Multiple Input Multiple Output、多入力／多出力）伝送を行ってもよい。
【００２６】
（第１の実施形態）
本実施形態では、図１の移動局装置１を移動局装置ａ１といい、基地局装置２を基地局装置ｂ１という。
【００２７】
＜移動局装置ａ１について＞
図２は、本発明の第１の実施形態に係る移動局装置ａ１の構成を示す概略ブロック図である。この図において、移動局装置ａ１は、アンテナａ１０１、受信部ａ１０２、制御信号抽出部ａ１０３、応答信号抽出部ａ１０４、及び、送信装置ａ１１を含んで構成される。送信装置ａ１１は、ＣＲＣ（Cyclic Redundancy Check、巡回冗長検査）付加部ａ１１１、符号化部ａ１１２、インターリーブ部ａ１１３、変調部ａ１１４、ＤＦＴ（Discrete Fourier Transform、離散フーリエ変換）部ａ１１５、バッファ部ａ１１６、クリッピング部Ｃ１、マッピング部ａ１１７、ＯＦＤＭ信号生成部ａ１１８、及びアンテナａ１２１を含んで構成される。また、移動局装置ａ１は、その他、移動局装置の一般的な公知の機能を備える。
【００２８】
受信部ａ１０２は、基地局装置ｂ１が送信した信号を、アンテナａ１０１を介して受信する。受信部ａ１０２は、受信した信号に対して、搬送波周波数帯からのダウンコンバージョン、フィルタリング、Ａ／Ｄ（アナログデジタル）変換、復調の処理を行い、処理後の情報を制御信号抽出部ａ１０３に出力する。
制御信号抽出部ａ１０３は、受信部ａ１０２から入力された情報を、基地局装置ｂ１から通知された判別情報に基づいて、制御情報とその他のユーザ情報に分離する。制御信号抽出部ａ１０３は、分離した制御情報を応答信号抽出部ａ１０４に出力する。また、制御信号抽出部ａ１０３は、分離したユーザ情報を表示や音声の出力を制御する出力制御部（図示せず）に出力する。なお、分離した制御情報には、基地局装置ｂ１との通信に用いる符号化率を示す符号化情報、変調方式を示す変調方式情報、マッピング情報、また、ＡＣＫ又はＮＡＫを示す自動再送要求情報等が含まれる。
【００２９】
応答信号抽出部ａ１０４は、制御信号抽出部ａ１０３から入力された制御情報から自動再送要求情報を抽出する。応答信号抽出部ａ１０４は、抽出した自動再送要求情報をバッファ部ａ１１６及びクリッピング部Ｃ１に出力する。なお、制御情報のうち、符号化情報は符号化部ａ１１２に出力され、変調方式情報は変調部ａ１１４に出力される。また、制御情報のうち、下りリンクのマッピング情報は受信部ａ１０２に出力され、上りリンクのマッピング情報はマッピング部ａ１１７に出力される。
【００３０】
ＣＲＣ付加部ａ１１１には、基地局装置ｂ１に送信するデータのビット列が入力される。ＣＲＣ付加部ａ１１１は、入力されたビット列から予め定めたビット数毎にビット列を抽出し、抽出したビット列毎に、そのビット列を用いてＣＲＣ符号を生成する。ＣＲＣ付加部ａ１１１は、抽出したビット列毎に、そのビット列に対して、生成したＣＲＣ符号を付加する。なお、このＣＲＣ符号は、基地局装置ｂ１において、移動局装置ａ１からの信号を正しく復号できたか否かを判定するための情報である。ＣＲＣ付加部ａ１１１は、ＣＲＣ符号を付加したビット列を、符号化部ａ１１２に出力する。
符号化部ａ１１２は、ＣＲＣ付加部ａ１１１から入力されたビット列を、基地局装置ｂ１から通知された符号化情報が示す符号化率で誤り訂正符号化する。符号化部ａ１１２は、符号化したビット列を、インターリーブ部ａ１１３に出力する。
インターリーブ部ａ１１３は、符号化部ａ１１２から入力されたビット列に対して、ビットの並び替えを行う。インターリーブ部ａ１１３は、並び替えを行ったビット列を変調部ａ１１４に出力する。
【００３１】
変調部ａ１１４は、インターリーブ部ａ１１３から入力されたビット列を、基地局装置ｂ１から通知された変調方式情報が示す変調方式で変調することで、変調シンボルを生成する。なお、変調方式には、例えば、ＱＰＳＫ(Quadrature Phase Shift Keying)や１６ＱＡＭ(Quadrature Amplitude Modulation)がある。変調部ａ１１４は、生成した変調シンボルをＤＦＴ部ａ１１５に出力する。
ＤＦＴ部ａ１１５は、変調部ａ１１４から入力された変調シンボルに対して、ＮＤＦＴ個の変調シンボル毎に、ＮＤＦＴ個の周波数ポイント（ＮＤＦＴポイントという。また、離散フーリエ変換及び逆離散フーリエ変換の周波数ポイントを、単にポイントとも称する）の離散フーリエ変換を行う。これにより、ＤＦＴ部ａ１１５は、変調シンボルを時間領域の信号から、周波数領域の信号（周波数スペクトル）Ｓ（ｍ、ｎ）に変換する。ここで、ｍは離散フーリエ変換のポイントを表す整数であり、０≦ｍ≦ＮＤＦＴ−１である。また、ｎは、送信する順序を表す整数である。ＤＦＴ部ａ１１５は、変換後の周波数スペクトルを、バッファ部ａ１１６に出力する。
【００３２】
バッファ部ａ１１６は、ＤＦＴ部ａ１１５から入力された周波数スペクトルＳ（ｍ、ｎ）を記憶する。バッファ部ａ１１６は、応答信号抽出部ａ１０４から入力された自動再送要求情報がＡＣＫを示すと判定した場合、クリッピング部Ｃ１に前回出力した周波数スペクトル（ｎ＝Ｎ１番目の周波数スペクトルとする）Ｓ（ｍ、Ｎ１）の次に送信する周波数スペクトルＳ（ｍ、Ｎ１＋１）（例えば、ＤＦＴ部ａ１１５から入力された順序が次の周波数スペクトル）を、クリッピング部Ｃ１に出力する。一方、バッファ部ａ１１６は、応答信号抽出部ａ１０４から入力された自動再送要求情報がＮＡＫを示すと判定した場合、クリッピング部Ｃ１に前回出力した周波数スペクトルＳ（ｍ、Ｎ１）を、再度、クリッピング部Ｃ１に出力する。
【００３３】
クリッピング部Ｃ１は、バッファ部ａ１１６から入力された、ＮＤＦＴポイントの周波数スペクトルＳ（ｍ、ｎ）のうち、ＮＣＬＩＰポイントの周波数スペクトルをクリップする（クリップ処理という）。具体的には、クリッピング部Ｃ１は、初送機会、つまり、応答信号抽出部ａ１０４から入力された自動再送要求情報がＡＣＫを示す場合には、ＮＤＦＴポイントのうち周波数が高い方からＮＣＬＩＰ個のポイント、つまり、高周波数の周波数スペクトルをクリップする。一方、クリッピング部Ｃ１は、再送機会、つまり、応答信号抽出部ａ１０４から入力された自動再送要求情報がＮＡＫを示す場合には、ＮＤＦＴポイントのうち周波数が低い方からＮＣＬＩＰ個のポイント、つまり、低周波数のＮＣＬＩＰポイントの周波数スペクトルをクリップする。すなわち、クリッピング部Ｃ１は、再送する周波数スペクトルに対して、前（本実施形態では初送機会）の送信の周波数スペクトルとは異なる周波数成分をクリップする。
なお、クリッピング部Ｃ１が行うクリップ処理の詳細については、後述する。
クリッピング部Ｃ１は、クリップ処理後の、ＮＴＸポイント（ＮＴＸ＝ＮＤＦＴ−ＮＣＬＩＰ）の周波数スペクトルＳ’（ｍ、ｎ）（送信スペクトル）をマッピング部ａ１１７に出力する。
【００３４】
マッピング部ａ１１７は、クリッピング部Ｃ１から入力されたＮＴＸポイントの周波数スペクトルＳ’（ｍ、ｎ）を、基地局装置ｂ１から通知されたマッピング情報に基づいて、ＮＦＦＴポイントの周波数ポイントにマッピングする。なお、マッピング部ａ１１７は、マッピングされたＮＴＸポイント以外の周波数ポイントには、ゼロをマッピングする（スペクトルをマッピングしない）。マッピング部ａ１１７は、マッピングした信号（ＮＦＦＴポイントの信号）を、ＯＦＤＭ信号生成部ａ１１８に出力する。
【００３５】
ＯＦＤＭ信号生成部ａ１１８は、マッピング部ａ１１７から入力された信号に対して、ＮＦＦＴポイントの逆高速フーリエ変換（ＩＦＦＴ、Inverse Fast Fourier Transform）を行う。ＯＦＤＭ信号生成部ａ１１８は、変換後の信号に対して、ＣＰ（Cyclic Prefix、サイクリック・プレフィックス）の付加、Ｄ／Ａ（デジタルアナログ）変換、搬送波周波数帯へのアップコンバージョン、アナログフィルタリングの処理を行い、処理後の信号をアンテナａ１２１を介して送信する。アンテナａ１２１から送信された信号は、伝搬路を経由して、基地局装置ｂ１のアンテナで受信される。
ここで送信電力について説明を行なう。ＮＤＦＴポイントのスペクトルをそのまま送信する（クリッピングを行なわない）場合を、図３（Ａ）に示す。この時の電力スペクトル密度（送信エネルギー）をＥとする。またＮＤＦＴポイントのスペクトルの内、ＮＣＬＩＰポイントを削除して送信する場合を図３（Ｂ）に示す。この時、図３（Ａ）と同様、電力スペクトル密度をＥとすることで、他セル（基地局装置）への干渉を、図３（Ａ）と比べて低減した伝送を行なうことが可能となる。なお、図３（Ｃ）のように電力スペクトル密度をＮＤＦＴ／（ＮＤＦＴ−ＮＣＬＩＰ）倍することで、１ビット当たりの電力を図３（Ａ）と同一とした伝送を行なうことも可能である。
【００３６】
＜クリップ処理について＞
以下、クリッピング部Ｃ１が行うクリップ処理について詳細を説明する。
図４は、本実施形態に係る周波数スペクトルＳ’（ｍ、ｎ）の一例を示す概略図である。この図は、クリッピング部Ｃ１がクリップ処理を行った後の周波数スペクトルＳ’（ｍ、ｎ）を表す。この図において、横軸は周波数である。
図４において、符号Ｓ’（ｍ、ｎ、ｒ）を付した実線の周波数スペクトルＳ’（ｍ、ｎ、ｒ）は、再送回数がｒ回目の周波数スペクトルＳ’（ｍ、ｎ）を表す。なお、初送機会の周波数スペクトルＳ’（ｍ、ｎ）は、ｒ＝０、つまり、周波数スペクトルＳ’（ｍ、ｎ、０）で表される。この図において、点線と実線を併せた周波数スペクトルは、クリッピング部Ｃ１に入力された周波数スペクトルＳ（ｍ、ｎ）を示す。
【００３７】
図４は、初送機会（ｒ＝０）に、クリッピング部Ｃ１が、ＮＤＦＴポイントのうち周波数が高い方からＮＣＬＩＰ個のポイントの周波数スペクトルをクリップすることを示す。この場合、クリッピング部Ｃ１は、ＮＤＦＴポイントのうち周波数が低い方からＮＴＸ個のポイントの周波数スペクトルＳ’（ｍ、ｎ、０）を、マッピング部ａ１１７に出力する。
また、図４は、再送機会（ｒ≧１）に、クリッピング部Ｃ１が、ＮＤＦＴポイントのうち周波数が低い方からＮＣＬＩＰ個のポイントの周波数スペクトルをクリップすることを示す。この場合、クリッピング部Ｃ１は、ＮＤＦＴポイントのうち周波数が高い方からＮＴＸ個のポイントの周波数スペクトルＳ’（ｍ、ｎ、ｒ）（ｒ≧１）を、マッピング部ａ１１７に出力する。
【００３８】
＜基地局装置ｂ１について＞
図５は、本実施形態に係る基地局装置ｂ１の構成を示す概略ブロック図である。この図において、基地局装置ｂ１は、アンテナｂ１０１、受信装置ｂ１１、応答信号生成部ｂ１２１、制御信号生成部ｂ１２２、送信部ｂ１２３、及び、アンテナｂ１２４を含んで構成される。受信装置ｂ１１は、ＯＦＤＭ信号受信部ｂ１１１、デマッピング部ｂ１１２、デクリッピング部ｂ１１３、バッファ部ｂ１１４、繰り返し等化部Ｄ１、及びＣＲＣ判定部ｂ１１５を含んで構成される。また、基地局装置ｂ１は、その他、基地局装置の一般的な公知の機能を備える。
【００３９】
ＯＦＤＭ信号受信部ｂ１１１は、移動局装置ａ１が送信した信号を、アンテナｂ１０１を介して受信する。ＯＦＤＭ信号受信部ｂ１１１は、受信した信号に対して、搬送波周波数帯からのダウンコンバージョン、アナログフィルタリング、Ａ／Ｄ変換、ＣＰの除去、ＮＦＦＴポイントのＦＦＴの処理を行い、処理後の信号をデマッピング部ｂ１１２に出力する。
【００４０】
デマッピング部ｂ１１２は、上りリンクのマッピング情報に基づいて、ＮＦＦＴポイントの周波数ポイントの受信周波数ポイントから、選択した周波数帯域に配置されたＮＴＸポイントの周波数スペクトルを抽出する。デマッピング部ｂ１１２は、抽出した周波数スペクトルをデクリッピング部ｂ１１３に出力する。
【００４１】
デクリッピング部ｂ１１３には、後述するＣＲＣ判定部ｂ１１５から、移動局装置ａ１から受信した信号を正しく復号できたか否かを示すＣＲＣ判定結果情報が入力される。基地局装置ｂ１は、このＣＲＣ判定結果情報に応じた自動再送要求情報を生成して移動局装置ａ１へ送信するので、このＣＲＣ判定結果情報は、自動再送要求情報と同等の情報である。また、このＣＲＣ判定結果情報には、送信対象のビット列について、復号できなかった回数を示す情報も含まれ、この情報は、再送回数と同等の情報である。
デクリッピング部ｂ１１３は、ＣＲＣ判定部ｂ１１５から入力されたＣＲＣ判定結果情報に基づいて、デマッピング部ｂ１１２から入力された周波数スペクトルに対して、移動局装置ａ１がクリップしたＮＣＬＩＰポイントにゼロを追加する。つまり、デクリッピング部ｂ１１３は、ＮＴＸポイントの周波数スペクトルに対して、ＮＣＬＩＰポイントにゼロを挿入することで、ＮＤＦＴポイントの周波数スペクトルを生成する。
具体的には、図４の例では、初送機会、つまり、ＣＲＣ判定結果情報が（前の信号を）正しく復号できたことを示す場合には、入力された周波数スペクトルＳ’（ｍ、ｎ、０）の高周波数にＮＣＬＩＰポイントのゼロを加え、ＮＤＦＴポイントの周波数スペクトルを形成する。
一方、再送機会、つまり、ＣＲＣ判定結果情報が正しく復号できなかったことを示す場合には、入力された周波数スペクトルＳ’（ｍ、ｎ、ｒ）の低周波数にＮＣＬＩＰポイントのゼロを加え、ＮＤＦＴポイントの周波数スペクトルを形成する。
デクリッピング部ｂ１１３は、生成した周波数スペクトルをバッファ部ｂ１１４に出力する。なお、基地局装置ａ１が制御情報として、再送回数を示す情報を移動局装置ｂ１に通知している場合、デクリッピング部ｂ１１３はその情報が再送回数を用いて、初送機会であるか再送機会であるかを判定して上記の処理をしてもよく、その場合は、ＣＲＣ判定情報をデクリッピング部ｂ１１３に入力しなくてもよい。
【００４２】
バッファ部ｂ１１４は、デクリッピング部ｂ１１３から入力された周波数スペクトルを、初送及び再送毎に記憶する。バッファ部ｂ１１４は、初送機会、つまり、ＣＲＣ判定部ｂ１１５から入力されたＣＲＣ判定結果情報が（前の信号を）正しく復号できたことを示す場合には、初送機会の周波数スペクトルを繰り返し等化部Ｄ１に出力する。一方、バッファ部ｂ１１４は、再送機会、つまり、ＣＲＣ判定部ｂ１１５から入力されたＣＲＣ判定結果情報が正しく復号できなかったことを示す場合には、記憶した初送機会及び再送機会（初送機会及び再送機会を送信機会ともいう）の周波数スペクトル、つまり、以前の送信機会に受信したすべての周波数スペクトルを繰り返し等化部Ｄ１に出力する。
【００４３】
繰り返し等化部Ｄ１は、バッファ部ｂ１１４から入力された周波数スペクトルから、伝搬路がマルチパスから構成されることによるシンボル間干渉（ＩＳＩ）を除去し、送信装置が送信したビット列を推定する（繰り返し等化処理という）。なお、繰り返し等化部Ｄ１が行う繰り返し等化処理の詳細については後述する。繰り返し等化部Ｄ１は、繰り返し等化処理を行った情報（ビット列）をＣＲＣ判定部ｂ１１５に出力する。
【００４４】
ＣＲＣ判定部ｂ１１５は、繰り返し等化部Ｄ１から入力されたビット列から、予め定めたビット数毎にビット列を抽出する。ＣＲＣ判定部ｂ１１５は、抽出したビット列からＣＲＣ符号を抽出し、また、ＣＲＣ符号以外のビット列を用いてＣＲＣ符号を生成する。ＣＲＣ判定部ｂ１１５は、抽出したＣＲＣ符号と生成したＣＲＣ符号が一致するか否かを判定することで、移動局装置ａ１から受信した信号を正しく復号できたか否かを判定する。ＣＲＣ判定部ｂ１１５は、この判定結果を示すＣＲＣ判定結果情報を、デマッピング部ｂ１１２、デクリッピング部ｂ１１３、バッファ部ｂ１１４、及び、応答信号生成部ｂ１２１に出力する。ここで、ＣＲＣ判定部ｂ１１５は、「正しく復号できなかった」と判定した回数を計数し、計数結果の情報を含むＣＲＣ判定結果情報を出力する。
ＣＲＣ判定部ｂ１１５は、抽出したＣＲＣ符号と生成したＣＲＣ符号が一致する、つまり、信号を正しく復号できたと判定した場合、ＣＲＣ符号以外のビット列を出力する。なお、ＣＲＣ判定部ｂ１１５は、抽出したＣＲＣ符号と生成したＣＲＣ符号が一致しない、つまり、信号を正しく復号できなかったと判定した場合、ＣＲＣ符号以外のビット列を出力しない。
【００４５】
応答信号生成部ｂ１２１は、ＣＲＣ判定部ｂ１１５から入力されたＣＲＣ判定結果情報が正しく復号できたことを示す場合には、ＡＣＫ信号を生成して、制御信号生成部ｂ１２２に出力する。一方、応答信号生成部ｂ１２１は、ＣＲＣ判定部ｂ１１５から入力されたＣＲＣ判定結果情報が正しく復号できなかったことを示す場合には、ＮＡＫ信号を生成して、制御信号生成部ｂ１２２に出力する。
【００４６】
制御信号生成部ｂ１２２は、パイロット信号（参照信号）を用いて算出された受信品質情報に基づいて、上りリンク及び下りリンクで用いる符号化率、変調方式、及び、マッピング情報を生成する。制御信号生成部ｂ１２２は、生成した情報、及び、応答信号生成部ｂ１２１から入力されたＡＣＫ又はＮＡＫを示す自動再送要求情報、を含む制御情報を生成して、送信部ｂ１２３に出力する。
送信部ｂ１２３は、入力された制御情報、及び、ユーザ情報に対して、変調、Ｄ／Ａ（デジタルアナログ）変換、フィルタリング、搬送波周波数帯へのアップコンバージョンの処理を行い、処理後の信号をアンテナｂ１２４を介して送信する。
【００４７】
＜繰り返し等化処理について＞
以下、繰り返し等化部Ｄ１が行う繰り返し等化処理について詳細を説明する。
図６は、本実施形態に係る繰り返し等化部Ｄ１の構成を示す概略ブロック図である。この図において、キャンセル部Ｄ１０１、等化部Ｄ１０２、ＩＤＦＴ（Inverse Discrete Fourier Transform、逆離散フーリエ変換）部Ｄ１０３、復調部Ｄ１０４、デインターリーブ部Ｄ１０５、復号部Ｄ１０６、インターリーブ部Ｄ１０７、レプリカ生成部Ｄ１０８、ＤＦＴ部Ｄ１０９、及びＩＳＩレプリカ生成部Ｄ１１０を含んで構成される。
【００４８】
キャンセル部Ｄ１０１は、バッファ部ｂ１１４から入力された送信機会毎の周波数スペクトルを記憶する。また、キャンセル部Ｄ１０１は、後述するＩＳＩレプリカ生成部Ｄ１１０から、送信機会毎の周波数スペクトルに対する、ＩＳＩによる干渉信号のレプリカ（ＩＳＩレプリカという）が入力される。
キャンセル部Ｄ１０１は、記憶した送信機会毎の周波数スペクトルから、それぞれ、その送信機会のＩＳＩレプリカを減算する。具体的には、キャンセル部Ｄ１０１は、初送機会の周波数スペクトルから、初送機会の周波数スペクトルに対応するＩＳＩレプリカを減算する。また、キャンセル部Ｄ１０１は、ｒ回目（ｒ≧１）の再送機会の周波数スペクトル各々から、そのｒ回目の再送機会の周波数スペクトルに対応するＩＳＩレプリカを減算する。キャンセル部Ｄ１０１は、送信機会毎に減算した周波数スペクトルを、等化部Ｄ１０２に出力する。
なお、キャンセル部Ｄ１０１は、繰り返し等化の初回では、ＩＳＩレプリカ生成部Ｄ１１０からの入力はないので、入力された周波数スペクトルを等化部Ｄ１０２に出力する。つまり、初送機会でも再送機会でも、キャンセル部Ｄ１０１は、繰り返し等化の初回では、周波数スペクトルを等化部Ｄ１０２に出力する。しかし、本発明はこれに限らず、キャンセル部Ｄ１０１は、再送機会で、初送機会で生成されたＩＳＩレプリカを減算してもよい。
【００４９】
等化部Ｄ１０２は、伝搬路推定部（図示せず）がパイロット信号を用いて推定した、上りリンクの伝搬路推定値が入力される。ここで、伝搬路推定部は、スペクトルが送信されているＮＴＸポイントに関してはパイロットを用いて推定を行なうが、送信側（基地局装置ａ１）でスペクトルがクリップされているＮＣＬＩＰポイント周波数ポイントに関しては、利得がゼロであったとし、合計ＮＤＦＴポイントの伝搬路推定値を推定する。等化部Ｄ１０２は、キャンセル部Ｄ１０１から入力された送信機会毎の周波数スペクトルを、伝搬路推定値を用いて等化する。等化部Ｄ１０２は、等化後の送信機会毎の周波数スペクトルを送信機会毎に重み付けして合成し、合成した周波数スペクトルをＩＤＦＴ部Ｄ１０３に出力する。
ＩＤＦＴ部Ｄ１０３は、等化部Ｄ１０２から入力された周波数スペクトルに対して、ＮＤＦＴポイントの逆離散フーリエ変換を行うことで、周波数領域の信号である周波数スペクトルを時間領域の信号に変換する。ＩＤＦＴ部Ｄ１０３は、変換後の信号を復調部Ｄ１０４に出力する。
【００５０】
復調部Ｄ１０４は、基地局装置ｂ１が移動局装置ａ１に通知した変調方式情報、及び、ＩＤＦＴ部Ｄ１０３から入力された信号を用いて、ビットＬＬＲ（Log Likelihood Ratio、対数尤度比）を算出する。復調部Ｄ１０４は、算出したビットＬＬＲのビット列を、デインターリーブ部Ｄ１０５に出力する。
デインターリーブ部Ｄ１０５は、復調部Ｄ１０４から入力されたビット列に対して、インターリーブ部ａ１１３が行う並び替えとは逆の並び替え、つまり、元の並びに戻す並び替えを行う。デインターリーブ部Ｄ１０５は、並び替えを行ったビット列を復号部Ｄ１０６に出力する。
【００５１】
復号部Ｄ１０６は、デインターリーブ部Ｄ１０５からビット列が入力された回数を計数する。復号部Ｄ１０６は、計数した回数が予め定めた回数を超えた場合には、基地局装置ｂ１が移動局装置ａ１に通知した符号化情報が示す符号化率に基づいて、誤り訂正復号し、復号したビット列をＣＲＣ判定部ｂ１１５に出力する。一方復号部Ｄ１０６で計数した回数が予め定めた回数以内の場合には、デインターリーブ部Ｄ１０５から入力されたビット列を、インターリーブ部Ｄ１０７に出力する。
インターリーブ部Ｄ１０７は、復号部Ｄ１０６から入力されたビット列に対して、インターリーブ部ａ１１３が行う並び替えと同じ並び替えを行う。インターリーブ部Ｄ１０７は、並び替えを行ったビット列をレプリカ生成部Ｄ１０８に出力する。
【００５２】
レプリカ生成部Ｄ１０８は、インターリーブ部Ｄ１０７から入力されたビット列を、基地局装置ｂ１が移動局装置ａ１に通知した変調方式情報に基づいて変調することで、軟判定レプリカを生成する。レプリカ生成部Ｄ１０８は、生成した軟判定レプリカをＤＦＴ部Ｄ１０９に出力する。
ＤＦＴ部Ｄ１０９は、レプリカ生成部Ｄ１０８から入力された軟判定レプリカに対して、ＮＤＦＴ個の変調シンボル毎に、ＮＤＦＴポイントの離散フーリエ変換を行う。ＤＦＴ部Ｄ１０９は、変換後の信号（周波数スペクトル）を、ＩＳＩレプリカ生成部Ｄ１１０に出力する。
【００５３】
ＩＳＩレプリカ生成部Ｄ１１０は、ＤＦＴ部Ｄ１０９から入力された周波数スペクトルと同じ周波数スペクトルを、現在の再送回数の個数、生成して、再送回数と対応付ける。ＩＳＩレプリカ生成部Ｄ１１０は、再送回数毎に、対応付けられた周波数スペクトルのうち、記憶するクリップ情報で対応付けられたポイントの周波数スペクトルをクリップする。これにより、例えば、再送回数ｒ＝０と対応付けられた周波数スペクトルは、周波数が高い方からＮＣＬＩＰ個のポイントの周波数スペクトルをクリップされ、再送回数ｒ≧１と対応付けられた周波数スペクトルは、周波数が低い方からＮＣＬＩＰ個のポイントの周波数スペクトルをクリップされる。
ＩＳＩレプリカ生成部Ｄ１１０は、伝搬路推定部（図示せず）から入力されたクリッピング情報が考慮された送信機会毎の上りリンクの伝搬路推定値と、ＤＦＴ部Ｄ１０９から入力された周波数スペクトルを用いて、ＩＳＩ成分を生成する。これにより、ＩＳＩレプリカ生成部Ｄ１１０は、送信機会毎のＩＳＩレプリカを生成する。ＩＳＩレプリカ生成部Ｄ１１０は、生成したＩＳＩレプリカをキャンセル部Ｄ１０１に出力する。
上記の構成により、もしＩＳＩレプリカが完全であれば、キャンセル部Ｄ１０１による減算によって、ＩＳＩの無い信号を等化部Ｄ１０２に出力することができる。
【００５４】
このように、本実施形態では、移動局装置ａ１が情報ビット系列を再送信するときに、前の送信とは異なるスペクトルをクリップした周波数スペクトルＳ’（ｍ、ｎ）を生成して送信し、基地局装置ｂ１が前の受信とは異なるスペクトルが削除された周波数スペクトルＳ’（ｍ、ｎ）を復号する。すなわち、移動局装置ａ１が情報ビット系列を再送信するときに、前の送信とは異なる周波数スペクトルＳ’（ｍ、ｎ）を生成して送信し、基地局装置ｂ１が情報ビット系列を再受信するときに、前の受信とは異なる周波数スペクトルＳ’（ｍ、ｎ）を受信して復号する。
これにより、本実施形態では、通信システムは、例えば、初送機会に高いエネルギーを持つスペクトルがクリップされて送信されても、再送機会には初送機会でクリップされた、高いエネルギーを持つスペクトルを送信することができる。図７に計算機シミュレーション結果を示す。８ＲＢ（Ｒｅｓｏｕｒｃｅ  Ｂｌｏｃｋ、１ＲＢは１２周波数ポイントから成る）のシングルキャリアを生成し、高周波数の２ＲＢをクリップした場合の初送特性と再送特性のブロック誤り率特性である。条件としては、ＱＰＳＫ、符号化率１／２、伝搬路モデルとしては、Ｔｙｐｉｃａｌ  Ｕｒｂａｎ−６パス、繰り返し等化の繰り返し数は６回、ターボ復号の繰り返しも６回、ＲＢのスケジューリングは行なっておらず、伝搬路推定は理想的に行われるものとし、再送時の伝搬路は初送とは無相関であることを仮定している。図７より、再送時に初送と同じスペクトルを送信する従来の特性に比べて、再送時に初送で送信していないスペクトルを送信する本発明の方が、良好な誤り率特性を示していることが分かる。これは、本実施形態では、再送機会にも高いエネルギーを持つスペクトルがクリップされることがなくなるため、基地局装置ｂ１で正しく復号できる可能性を高くすることができるためである。この結果、本実施形態では、再送制御を行う通信システムにおいて、伝送効率を向上できる。
【００５５】
（第２の実施形態）
以下、図面を参照しながら本発明の第２の実施形態について詳しく説明する。
本実施形態では、通信システムが、再送回数に応じて、クリップするポイント数を変更する場合について説明をする。本実施形態では、図１の移動局装置１を移動局装置ａ２といい、基地局装置２を基地局装置ｂ２という。
【００５６】
＜移動局装置ａ２について＞
図８は、本発明の第２の実施形態に係る移動局装置ａ２の構成を示す概略ブロック図である。本実施形態に係る移動局装置ａ２（図８）と第１の実施形態に係る移動局装置ａ１（図２）とを比較すると、バッファ部ａ２１６及びクリッピング部Ｃ２が異なる。しかし、他の構成要素（アンテナａ１０１、受信部ａ１０２、制御信号抽出部ａ１０３、応答信号抽出部ａ１０４、ＣＲＣ付加部ａ１１１、符号化部ａ１１２、インターリーブ部ａ１１３、変調部ａ１１４、ＤＦＴ部ａ１１５、マッピング部ａ１１７、ＯＦＤＭ信号生成部ａ１１８、及びアンテナａ１２１）が持つ機能は第１の実施形態と同様である。第１の実施形態と同様の機能の説明は省略する。
【００５７】
バッファ部ａ２１６は、符号化部ａ１１２から入力されたビット列を、ビットの種類毎に順序付けて記憶する。具体的には、符号化率１／３を基底符号とした一例では、バッファ部ａ２１６は、システマティックビット（ビット数はＮｉｎｆｏ）、及び、その２つのパリティビット（パリティビット１、パリティビット２、それぞれ、ビット数はＮｉｎｆｏ）を、それぞれ順序付けて記憶する。
【００５８】
バッファ部ａ２１６は、自動再送要求情報に基づいて、記憶するビット列から、出力するビットを選択する（ビット選択処理という）。なお、バッファ部ａ２１６は、自動再送要求情報に基づいて再送回数を計数し、計数した再送回数に基づいて、出力するビットを選択してもよい。また、バッファ部ａ２１６は、後述するクリッピング部Ｃ２が決定したクリップするポイントを示す情報を取得し、取得した情報に基づいて、出力するビットを選択してもよい。ここで、クリップするポイントを示す情報は、クリップするポイントの数を示す情報であってもよいし、クリップするポイント数の比率（初送機会にクリップしたポイント数との比率、又は、前回の送信機会にクリップしたポイント数との比率）であってもよい。バッファ部ａ２１６が行うビット選択処理の詳細については、後述する。
バッファ部ａ２１６は、選択したビットをインターリーブ部ａ１１３に出力する。
【００５９】
クリッピング部Ｃ２は、自動再送要求情報に基づいて、クリップするポイントを決定する（ポイント決定処理という）。クリッピング部Ｃ２は、自動再送要求情報に基づいて再送回数を計数し、計数した再送回数に基づいて、クリップするポイントを決定してもよい。クリッピング部Ｃ２が行うポイント決定処理の詳細については、後述する。
クリッピング部Ｃ２は、決定したポイントの周波数スペクトルをクリップする（クリップ処理）。クリッピング部Ｃ２は、クリップ処理後の周波数スペクトルＳ’（ｍ、ｎ）をマッピング部ａ１１７に出力する。
【００６０】
＜ビット選択処理＞
以下、バッファ部ａ２１６が行うビット選択処理について詳細を説明する。バッファ部ａ２１６は、再送回数と出力するビットとを対応付けた出力ビット情報を記憶する。
図９は、本実施形態に係る出力ビット情報テーブルの一例を示す概略図である。図示するように出力ビット情報テーブルは、再送回数、及び、出力ビット情報として、システマティックビット、パリティビット１、パリティビット２の各項目の列を有している。
【００６１】
図９は、例えば、バッファ部ａ２１６は、自動再送要求情報がＡＣＫを示すと判定した場合、つまり、再送回数ｒ＝「０」の場合には、順序が「１」〜「Ｎｉｎｆｏ」番目のシステマティックビット、パリティビット１、２、つまり、全システマティックビット、パリティビット１、２を出力することを示す。ここで、バッファ部ａ２１６は、インターリーブ部ａ１１３に前回出力したビット列の次に送信するビット列を出力する。
【００６２】
また、図９は、例えば、バッファ部ａ２１６は、Ｌを０以上の整数とし、再送回数ｒ＝「２Ｌ＋１」（例えば、ｒ＝１、３、・・・）の場合には、順序が「１」〜「Ｎｉｎｆｏ／２」番目のパリティビット１、２、つまり、パリティビット１、２の前半部分を出力することを示す。また、図９は、例えば、バッファ部ａ２１６は、再送回数ｒ＝「２Ｌ＋２」（例えば、ｒ＝２、４、・・・）の場合には、順序が「（Ｎｉｎｆｏ／２）＋１」〜「Ｎｉｎｆｏ」番目のパリティビット１、２、つまり、パリティビット１、２の後半部分を出力することを示す。ここで、自動再送要求情報がＮＡＫを示すと判定した場合、つまり、再送回数ｒ≧１の場合には、バッファ部ａ２１６は、同じシステマティックビット、及び、その２つのパリティビットから生成したビットを、クリッピング部Ｃ１に出力する。つまり、バッファ部ａ２１６は、送信装置ａ２１に入力されたビット列を再送するためのビットを出力する。
すなわち、バッファ部ａ２１６は、再送機会に初送機会と比較して少ないビット数のビット列を出力する。また、バッファ部ａ２１６は、再送機会に、前回出力したパリティビットとは異なるパリティビットを出力する。換言すれば、バッファ部ａ２１６は、再送機会に、前回出力しなかったパリティビットを、前回出力したパリティビットよりも優先させて出力する。これにより、移動局装置ａ２は、前の送信でクリップしたスペクトルを、クリップしなかったスペクトルより優先して送信する。
【００６３】
＜ポイント決定処理＞
クリッピング部Ｃ２は、自動再送要求情報がＡＣＫを示す場合には、ＮＤＦＴポイントのうち周波数が高い方からＮＣＬＩＰ（＝ＮＤＦＴ／４＝ＮＤＦＴ−ＮＴＸ）のポイントの周波数スペクトルをクリップすると決定する。一方、クリッピング部Ｃ２は、自動再送要求情報がＮＡＫを示す場合には、クリップしないと決定する。なお、ＮＡＫの場合には、ＤＦＴａ１１５からクリッピング部Ｃ２に入力される信号は、ＮＴＸポイントの離散フーリエ変換を行った信号である。すなわち、クリッピング部Ｃ２は、再送機会（ＮＣＬＩＰ＝０）に初送（ＮＣＬＩＰ＝ＮＤＦＴ／４）と比較してクリップするポイントを減らしている。
【００６４】
＜クリップ処理について＞
以下、クリッピング部Ｃ２が行うクリップ処理について詳細を説明する。
図１０は、本実施形態に係る周波数スペクトルＳ’（ｍ、ｎ）の一例を示す概略図である。この図は、クリッピング部Ｃ２が出力する周波数スペクトルＳ’（ｍ、ｎ）を表す。この図において、横軸は周波数である。
図１０において、符号Ｓ’（ｍ、ｎ、ｒ）（図１０では、ｒは０又は１以上）を付した実線の周波数スペクトルＳ’（ｍ、ｎ、ｒ）は、再送回数がｒ回目の周波数スペクトルＳ’（ｍ、ｎ）を表す。なお、この図において、点線と実線を併せた周波数スペクトルは、クリッピング部Ｃ２に入力された周波数スペクトルＳ（ｍ、ｎ）を示す。
【００６５】
図１０は、初送機会に、クリッピング部Ｃ２が、ＮＤＦＴポイントのうち周波数が高い方からＮＣＬＩＰ個のポイントの周波数スペクトルをクリップすることを示す。この場合、クリッピング部Ｃ２は、ＮＤＦＴポイントのうち周波数が低い方からＮＴＸ個のポイントの周波数スペクトルＳ’（ｍ、ｎ、０）を、マッピング部ａ１１７に出力する。
また、図１０は、再送機会に、クリッピング部Ｃ２が、ＮＴＸポイントの周波数スペクトルをクリップしないことを示す。この場合、クリッピング部Ｃ２は、ＤＦＴ部ａ１１５から入力されたＮＴＸポイントの周波数スペクトルＳ（ｍ、ｎ、ｒ）（ｒ≧１）を、そのまま、マッピング部ａ１１７に出力する。
【００６６】
移動局装置ａ２は、例えば、応答信号としてＡＣＫが入力された場合、新しいパケットを送信することになるため、図１０に示すように、ＮＤＦＴポイントのＤＦＴ部の出力をクリップして、ＮＴＸ（＝ＮＤＦＴ−ＮＣＬＩＰ）ポイントとなった信号を送信する。一方、移動局装置ａ２は、ＮＡＫが入力された場合は、基地局装置ｂ２で正しく復号できなかったことを示しており、再送においてクリップした周波数スペクトルを送信しても、再度正しく復号できない可能性が高い。そこで再送では、図１０に示すようにクリッピングを行なわないスペクトルを送信する。
また、本実施形態における通信システムでは、初送機会におけるクリップ率は１／４であり、再送機会におけるクリップ率はゼロ、つまりクリッピングを行なわないため、再送時の伝送レートは初送の３／４となる。初送機会では合計２Ｎｉｎｆｏのシステマティックビットおよびパリティビット送信したが、再送時には、３Ｎｉｎｆｏ／２ビットしか送信しない。
【００６７】
＜変形例１＞
図１１は、本実施形態の変形例１に係る出力ビット情報テーブルの一例を示す概略図である。図示するように出力ビット情報テーブルは、再送回数、及び、出力ビット情報として、システマティックビット、パリティビット１、パリティビット２の各項目の列を有している。
【００６８】
図１１は、例えば、バッファ部ａ２１６は、再送回数ｒ＝「０」の場合には、順序が「１」〜「Ｎｉｎｆｏ」番目のシステマティックビットと、順序が「１」〜「Ｎｉｎｆｏ／２」番目のパリティビット１、２を出力することを示す。ここで、バッファ部ａ２１６は、インターリーブ部ａ１１３に前回出力したビットの次に送信するビットを出力する。
また、図９は、例えば、バッファ部ａ２１６は、再送回数ｒ＝「２Ｌ＋１」の場合には、順序が「１」〜「Ｎｉｎｆｏ／２」番目のシステマティックビットと、順序が「（Ｎｉｎｆｏ／２）＋１」〜「Ｎｉｎｆｏ」番目のパリティビット１、２を出力することを示す。ここで、再送回数ｒ≧１の場合には、バッファ部ａ２１６は、同じシステマティックビット、及び、その２つのパリティビットから生成したビットを、クリッピング部Ｃ１に出力する。
【００６９】
図１２は、本実施形態の変形例１に係る符号化部ａ１１２及びバッファ部ａ２１６の出力するビットを示す概略図である。この図は、図１１の出力ビット情報テーブルの場合に、符号化部ａ１１２及びバッファ部ａ２１６の出力するビットを示す。
図１２において符号Ｂ１１を付した情報ビットＢ１１は、符号化部ａ１１２に入力されたビット列である。このビット列は、ビット数がＮｉｎｆｏのビット列である。この図において、符号Ｂ１２１を付したシステマティックビット、Ｂ１２２を付したパリティビット１、Ｂ１２３を付したパリティビット２は、符号化部ａ１１２が情報ビットＢ１１を符号化して出力したビット列である。これらのビット列は、それぞれ、ビット数がＮｉｎｆｏのビット列であり、合計のビット数が３Ｎｉｎｆｏのビット列である。
【００７０】
図１２において、符号Ｂ１３１を付したシステマティックビット、Ｂ１３２を付したパリティビット１、Ｂ１３３を付したパリティビット２は、初送機会（ｒ＝０）に、バッファ部ａ２１６が出力したビットを示す。ここで、システマティックビットのビット数は、Ｎｉｎｆｏであり、パリティビット１、２のビット数は、それぞれＮｉｎｆｏ／２である。この図において、符号Ｂ１４１を付したシステマティックビット、Ｂ１４２を付したパリティビット１、Ｂ１４３を付したパリティビット２は、再送機会（ｒ＝１）に、バッファ部ａ２１６が出力したビットを示す。ここで、システマティックビット、及びパリティビット１、２のビット数は、それぞれＮｉｎｆｏ／２である。また、バッファ部ａ２１６が出力したパリティビット１、２は、初送機会（前回）と１回目の再送機会で異なる。
【００７１】
図１２において、符号Ｂ１５１を付したシステマティックビット、Ｂ１５２を付したパリティビット１、Ｂ１５３を付したパリティビット２は、２回目の再送機会（ｒ＝２）に、バッファ部ａ２１６が出力したビットを示す。ここで、システマティックビット、及びパリティビット１、２のビット数は、それぞれＮｉｎｆｏ／２である。また、バッファ部ａ２１６が出力したパリティビット１、２は、１回目の再送機会（前回）と２回目の再送機会で異なる。なお、図１２における横軸はビットの順序を表わすものではなく、量を表わすものであってもよい。例えば初送送信（ｒ＝０）において、符号化部ａ１１２で生成されるパリティビット１およびパリティビット２のそれぞれ前半のみが送信されるのではなく、全パリティビット１および全パリティビット２から均等に半分が送信されてもよい。これは、符号化ビットとして生成されるパリティビット１およびパリティビット２に対して、それぞれインターリーブを行なうことによって実現できる。
【００７２】
＜基地局装置ｂ２について＞
図１３は、本実施形態に係る基地局装置ｂ２の構成を示す概略ブロック図である。本実施形態に係る基地局装置ｂ２（図１３）と第１の実施形態に係る基地局装置ｂ１（図５）とを比較すると、デクリッピング部ｂ２１３及び繰り返し等化部Ｄ２が異なる。しかし、他の構成要素（アンテナｂ１０１、ＯＦＤＭ信号受信部ｂ１１１、デマッピング部ｂ１１２、バッファ部ｂ１１４、ＣＲＣ判定部ｂ１１５、応答信号生成部ｂ１２１、制御信号生成部ｂ１２２、送信部ｂ１２３、及びアンテナｂ１２４）が持つ機能は第１の実施形態と同様である。第１の実施形態と同様の機能の説明は省略する。
【００７３】
デクリッピング部ｂ２１３は、ＣＲＣ判定部ｂ１１５から入力されたＣＲＣ判定結果情報に基づいて、デマッピング部ｂ１１２から入力された周波数スペクトルに対して、移動局装置ａ２がクリップしたＮＣＬＩＰポイント分のゼロを追加する。ここで、デクリッピング部ｂ２１３は、ＣＲＣ判定結果情報に基づいて再送回数を算出し、算出した再送回数に応じてクリップするポイントを変更する。
具体的には、デクリッピング部ｂ２１３は、再送回数ｒ＝「０」の場合には、ＮＴＸポイントの周波数スペクトルに対して、ＮＣＬＩＰポイントにゼロを挿入することで、ＮＤＦＴポイントの周波数スペクトルを生成する。この場合、デクリッピング部ｂ２１３は、生成した周波数スペクトルをバッファ部ｂ１１４に出力する。
一方、再送回数ｒ≧「１」の場合には、デクリッピング部ｂ２１３は、ＮＴＸポイントの周波数スペクトルに対してゼロを挿入せず、ＮＴＸポイントの周波数スペクトルをそのままバッファ部ｂ１１４に出力する。このように、デクリッピング部ｂ２１３は、送信機会で異なる帯域幅のスペクトルをバッファ部ｂ１１４に入力することになる。
【００７４】
図１４は、本実施形態に係る繰り返し等化部Ｄ２の構成を示す概略ブロック図である。この図において、キャンセル部Ｄ２０１−０〜Ｄ２０１−Ｒ、等化部Ｄ２０２−０〜Ｄ２０２−Ｒ、ＩＤＦＴ部Ｄ２０３−０〜Ｄ２０３−Ｒ、復調部Ｄ２０４−０〜Ｄ２０４−Ｒ、尤度合成部Ｄ２１１、デインターリーブ部Ｄ２０５、復号部Ｄ２０６、送信信号生成部Ｄ２１２、インターリーブ部Ｄ２０７−０〜Ｄ２０７−Ｒ、レプリカ生成部Ｄ２０８−０〜Ｄ２０８−Ｒ、ＤＦＴ部Ｄ２０９−０〜Ｄ２０９−Ｒ、及びＩＳＩレプリカ生成部Ｄ２１０−０〜Ｄ２１０−Ｒを含んで構成される。なお、この図は、ＣＲＣ判定部ｂ１１５の計数結果がＲの場合に信号を受信した場合、つまり、再送回数がＲ回目の信号を受信した場合の等化部Ｄ２の構成を示す。
【００７５】
キャンセル部Ｄ２０１−ｒ（０≦ｒ≦Ｒ）は、バッファ部ｂ１１４から入力された、ｒ回目の再送機会の周波数スペクトルを記憶する。また、キャンセル部Ｄ２０１−ｒは、後述するＩＳＩレプリカ生成部Ｄ２１０−ｒから、ｒ回目の再送機会の周波数スペクトルに対するＩＳＩレプリカが入力される。キャンセル部Ｄ２０１−ｒは、記憶したｒ回目の再送機会の周波数スペクトルから、それに対応するＩＳＩレプリカを減算する。
なお、キャンセル部Ｄ２０１−０〜Ｄ２０１−Ｒは、繰り返し処理の初回、つまり、新たに送信された周波数スペクトルがバッファ部ｂ１１４から入力された場合には、ＩＳＩレプリカ生成部Ｄ２１０−０〜Ｄ２１０−Ｒからの入力はないので、入力された周波数スペクトルをそれぞれ等化部Ｄ２０２−０〜Ｄ２０２−Ｒに出力する。
【００７６】
等化部Ｄ２０２−ｒには、伝搬路推定部（図示せず）がパイロット信号を用いて推定した、ｒ回目の再送機会の上りリンクの伝搬路推定値が入力される。等化部Ｄ２０２−ｒは、キャンセル部Ｄ２０１−ｒから入力された、ｒ回目の再送機会の周波数スペクトルを、伝搬路推定値を用いて等化する。等化部Ｄ２０２−ｒは、等化したｒ回目の再送機会の周波数スペクトルをＩＤＦＴ部Ｄ２０３−ｒに出力する。
ＩＤＦＴ部Ｄ２０３−ｒは、等化部Ｄ２０２−ｒから入力された周波数スペクトルに対して、ＮＤＦＴポイントの逆離散フーリエ変換を行うことで、周波数領域の信号である周波数スペクトルを時間領域の信号に変換する。ＩＤＦＴ部Ｄ２０３−ｒは、変換後の信号を復調部Ｄ２０４−ｒに出力する。
【００７７】
復調部Ｄ２０４−ｒは、基地局装置ｂ２が移動局装置ａ２に通知した変調方式情報、及び、ＩＤＦＴ部Ｄ２０３−ｒから入力された信号を用いて、ｒ回目の再送機会についてのビットＬＬＲ（Log Likelihood Ratio、対数尤度比）を算出する。復調部Ｄ２０４−ｒは、算出したビットＬＬＲのビット列を、尤度合成部Ｄ２１１に出力する。
【００７８】
尤度合成部Ｄ２１１は、出力ビット情報テーブルを記憶する。尤度合成部Ｄ２１１は、出力ビット情報テーブルに基づいて、復調部Ｄ２０４−０〜Ｄ２０４−Ｎから入力されたビット列を合成する。具体的には、尤度合成部Ｄ２１１は、出力ビット情報が示すビットの順序が同じビットを、ＬＬＲで合成し、その順序に配列する。
【００７９】
例えば、変形例１の場合（図１１の出力ビット情報テーブル）のときＲ＝１の場合の一例について説明する。この場合、尤度合成部Ｄ２１１には、復調部Ｄ２０４−０から初送機会についてのビット列、つまり、順序が「１」〜「Ｎｉｎｆｏ」番目のシステマティックビットと、順序が「１」〜「Ｎｉｎｆｏ／２」番目のパリティビット１、２が入力される。また、尤度合成部Ｄ２１１には、復調部Ｄ２０４−１から１回目の再送機会についてのビット列、つまり、順序が「１」〜「Ｎｉｎｆｏ／２」番目のシステマティックビットと、順序が「（Ｎｉｎｆｏ／２）＋１」〜「Ｎｉｎｆｏ」番目のパリティビット１、２が入力される。
尤度合成部Ｄ２１１は、順序が「１」〜「Ｎｉｎｆｏ／２」番目のシステマティックビットについては、初送機会と１回目の再送機会のシステマティックビットのＬＬＲを合成（加算）したものをシステマティックビットのＬＬＲとする。尤度合成部Ｄ２１１は、順序が「（Ｎｉｎｆｏ／２）＋１」〜「Ｎｉｎｆｏ」番目のシステマティックビットについては、復調部Ｄ２０４−０から入力された（初送機会の）ビット列をシステマティックビットとする。尤度合成部Ｄ２１１は、合成後のシステマティックビットを、その順序に配列する。同様に、尤度合成部Ｄ２１１は、パリティビット１、２を合成して、順序に配列する。
尤度合成部Ｄ２１１は、配列したビット列をデインターリーブ部Ｄ２０５に出力する。
【００８０】
デインターリーブ部Ｄ２０５は、尤度合成部Ｄ２１１から入力されたビット列に対して、インターリーブ部ａ１１３が行う並び替えとは逆の並び替え、つまり、元の並びに戻す並び替えを行う。デインターリーブ部Ｄ２０５は、並び替えを行ったビット列を復号部Ｄ２０６に出力する。
復号部Ｄ２０６は、デインターリーブ部Ｄ２０５からビット列が入力された回数を計数する。復号部Ｄ２０６は、計数した回数が予め定めた回数を超えた場合には、基地局装置ｂ２が移動局装置ａ２に通知した符号化情報が示す符号化率に基づいて、誤り訂正復号化する。この場合、復号部Ｄ２０６は、復号して得られる情報ビットのＬＬＲを硬判定することで得られるビット列をＣＲＣ判定部ｂ１１５に出力する。また、復号部Ｄ２０６は、計数した回数が予め定めた回数以内の場合には、誤り訂正復号した符号化ビット列のＬＬＲを、送信信号生成部Ｄ２１２に出力する。
【００８１】
送信信号生成部Ｄ２１２は、出力ビット情報テーブルを記憶する。送信信号生成部Ｄ２１２は、出力ビット情報テーブルに基づいて、復号部Ｄ２０６から入力されたビット列から、バッファ部ａ２１６が送信機会毎に出力したビット列に対応するビット列を生成する。具体的には、再送回数ｒ（ｒ＝０含む）毎に、上述のバッファ部ａ２１６が行うビット処理と同様の処理を行う。送信信号生成部Ｄ２１２は、初送機会のビット列として生成したビット列をインターリーブ部Ｄ２０７−０に出力し、１〜Ｒ回目の再送機会のビット列として生成したビット列を、それぞれ、インターリーブ部Ｄ２０７−１〜Ｄ２０７−Ｒに出力する。
【００８２】
インターリーブ部Ｄ２０７−ｒは、送信信号生成部Ｄ２１２から入力されたビット列に対して、インターリーブ部ａ１１３が行う並び替えと同じ並び替えを行う。インターリーブ部Ｄ２０７−ｒは、並び替えを行ったビット列をレプリカ生成部Ｄ２０８−ｒに出力する。
レプリカ生成部Ｄ２０８−ｒは、インターリーブ部Ｄ２０７−ｒから入力されたビット列を、基地局装置ｂ２が移動局装置ａ２に通知した変調方式情報に基づいて変調することで、軟判定レプリカを生成する。レプリカ生成部Ｄ２０８−ｒは、生成した軟判定レプリカをＤＦＴ部Ｄ２０９−ｒに出力する。
ＤＦＴ部Ｄ２０９−ｒは、レプリカ生成部Ｄ２０８−ｒから入力された軟判定レプリカに対して、ＮＤＦＴ個の変調シンボル毎に、ＮＤＦＴポイントの離散フーリエ変換を行う。ＤＦＴ部Ｄ２０９−ｒは、変換後の信号（周波数スペクトル）を、ＩＳＩレプリカ生成部Ｄ２１０−ｒに出力する。
【００８３】
ＩＳＩレプリカ生成部Ｄ２１０−ｒは、送信機会毎に、周波数スペクトルをクリップするポイントを対応付けたクリップ情報を記憶する。ＩＳＩレプリカ生成部Ｄ２１０−ｒは、ＤＦＴ部Ｄ２０９−ｒから入力された周波数スペクトルのうち、記憶するクリップ情報が示すポイントの周波数スペクトルをクリップする。
ＩＳＩレプリカ生成部Ｄ２１０−ｒには、伝搬路推定部（図示せず）から送信機会毎の上りリンクの伝搬路推定値が入力される。ＩＳＩレプリカ生成部Ｄ２１０−ｒは、入力された伝搬路推定値に基づいて、送信機会毎のＩＳＩレプリカを生成する。ＩＳＩレプリカ生成部Ｄ２１０−ｒは、生成したＩＳＩレプリカをキャンセル部Ｄ２０１−ｒに出力する。
【００８４】
このように、本実施形態では、移動局装置ａ２は、繰り返し等化では初送機会の信号を正しく復号できない場合に、再送時にはクリッピングを行なう量を減らす。この結果、通信システムでは、再送機会において、ＩＳＩを初送機会と比較して低減できるため、再送機会では正しく復号できる可能性を高くすることができる。すなわち、本実施形態では、再送制御を行う通信システムにおいて、伝送効率を向上できる。
また、通信システムでは、クリッピングを行なえば行なうほど、送信信号は、クリッピングを行なわない場合と比較して、ＰＡＰＲ（Ｐｅａｋ  ｔｏ  Ａｖｅｒａｇｅ  Ｐｏｗｅｒ  Ｒａｔｉｏ、ピーク対平均電力比）が高くなる。このため、ＯＦＤＭ信号生成部内の増幅器では、送信電力を抑えて送信する必要がある。本実施形態では、移動局装置ａ２は、再送時にはクリッピング量を減少させて送信を行なうため、ＰＡＰＲが改善される。この結果、再送時に送信電力を増加させて送信を行なうこともできる。
なお、本実施形態では、説明の便宜上、再送機会において、初送機会と同じ周波数割り当てとしたが、再送機会毎に周波数割り当てが異なってもよい。
【００８５】
（第３の実施形態）
以下、図面を参照しながら本発明の第３の実施形態について詳しく説明する。
本実施形態では、通信システムが、ＭＩＭＯ伝送を行う場合について説明をする。本実施形態に係る通信システムでは、送信装置が複数の送信アンテナを持ち、同一時刻・同一周波数で複数のストリーム（レイヤ、ランクとも呼ばれる）を送信する場合について説明する。本実施形態では、図１の移動局装置１を移動局装置ａ３といい、基地局装置２を基地局装置ｂ３という。
【００８６】
＜移動局装置ａ３について＞
図１５は、本発明の第３の実施形態に係る移動局装置ａ３の構成を示す概略ブロック図である。この図において、移動局装置ａ３は、Ｓ個のストリームをＮｔ本のアンテナを用いて信号を送信する。移動局装置ａ３は、アンテナａ１０１、受信部ａ１０２、制御信号抽出部ａ１０３、応答信号抽出部ａ１０４、及び、送信装置ａ３１を含んで構成される。送信装置ａ３１は、Ｓ／Ｐ（Serial-to-Parallel、シリアルパラレル）変換部ａ３１０、ＣＲＣ付加部ａ１１１−１〜ａ１１１−Ｓ、符号化部ａ１１２−１〜ａ１１２−Ｓ、インターリーブ部ａ１１３−１〜ａ１１３−Ｓ、変調部ａ１１４−１〜ａ１１４−Ｓ、ＤＦＴ部ａ１１５−１〜ａ１１５−Ｓ、バッファ部ａ１１６−１〜ａ１１６−Ｓ、クリッピング部Ｃ１−１〜Ｃ１−Ｓ、プリコーディング部ａ３１９、マッピング部ａ１１７−１〜ａ１１７−Ｎｔ、ＯＦＤＭ信号生成部ａ１１８−１〜ａ１１８−Ｎｔ、及びアンテナａ１２１−１〜ａ１２１−Ｎｔを含んで構成される。また、移動局装置ａ３は、その他、移動局装置の一般的な公知の機能を備える。
【００８７】
なお、アンテナａ１０１、受信部ａ１０２、制御信号抽出部ａ１０３、及び、応答信号抽出部ａ１０４は、第１の実施形態のものと同様の機能を持つので説明は省略する。ただし、応答信号抽出部ａ１０４は、ｓ番目のストリーム（ストリームの番号ｓは、１≦ｓ≦Ｓの整数）毎の自動再送要求情報を抽出する。応答信号抽出部ａ１０４は、抽出したｓ番目のストリームの自動再送要求情報を、バッファ部ａ１１５−ｓ、クリッピング部Ｃ１−ｓに出力する。
【００８８】
また、本実施形態と第１の実施形態と比較すると、ＣＲＣ付加部ａ１１１−ｓはＣＲＣ付加部ａ１１１、符号化部ａ１１２−ｓは符号化部ａ１１２、インターリーブ部ａ１１３−ｓはインターリーブ部ａ１１３、変調部ａ１１４−ｓは変調部ａ１１４、ＤＦＴ部ａ１１５−ｓはＤＦＴ部ａ１１５、バッファ部ａ１１６−ｓはバッファ部ａ１１６、クリッピング部Ｃ１−ｓはクリッピング部Ｃ１、と同様の機能を持つので説明は省略する。また、マッピング部ａ１１７−ｔ（ｔは、１≦ｔ≦Ｎｔの整数）はマッピング部ａ１１７、ＯＦＤＭ信号生成部ａ１１８−ｔはＯＦＤＭ信号生成部ａ１１８、アンテナａ１２１−ｔはアンテナａ１２１、と同様の機能を持つので説明は省略する。
【００８９】
Ｓ／Ｐ変換部ａ３１０には、移動局装置ａ３に送信するデータのビット列が入力される。Ｓ／Ｐ変換部ａ３１０は、入力されたビット列をシリアルパラレル変換することで、Ｓ個のビット列を生成する。Ｓ／Ｐ変換部ａ３１０は、生成したビット列のうち、ｓ番目のビット列をＣＲＣ付加部ａ１１１−ｓに出力する。
【００９０】
プリコーディング部ａ３１９には、クリッピング部Ｃ１−ｓから入力された周波数スペクトルＳ’（ｍ、ｎ、ｓ）が入力される。ここで、周波数スペクトルＳ’（ｍ、ｎ、ｓ）は、ｓ番目のストリームの周波数スペクトルＳ’（ｍ、ｎ）を表す。
プリコーディング部ａ３１９は、Ｎｔ行Ｓ列のプリコーディング行列を記憶し、記憶するプリコーディング行列を、番号ｓ毎の周波数スペクトルＳ’（ｍ、ｎ、ｓ）を成分とするベクトルに乗算する。プリコーディング部ａ３１９は、乗算後の信号Ｐ（ｔ）をマッピング部ａ１１７−ｔに出力する。例えば、Ｎｔ＝４、Ｓ＝３の場合の一例として、信号Ｐ（ｔ）は、次式（１）で表される。
【００９１】
【数１】
0005770464.tif 000002
【００９２】
以上の構成により、移動局装置ａ３は、一例として、図１６の信号を送信する。
図１６は、本実施形態に係る周波数スペクトルＳ’（ｍ、ｎ、ｓ）の一例を示す概略図である。この図は、Ｓ＝２の場合の周波数スペクトルＳ’（ｍ、ｎ、ｓ）を示す。この図において、行はストリームを示し、列は送信機会とその送信に対する応答信号（自動再送要求情報）を示す。なお、列は時間順に並べられている。
図１６において、符号Ｓ’（ｍ、ｎ、ｓ、ｒ）（図１６では、ｎ＝Ｎ１、Ｎ２、ｓ＝１、２、ｒ＝０、１、２）を付した実線の周波数スペクトルＳ’（ｍ、ｎ、ｓ、ｒ）は、再送回数がｒ回目の周波数スペクトルＳ’（ｍ、ｎ、ｓ）を表す。周波数スペクトルＳ’（ｍ、ｎ、ｓ、ｒ）を表す図の横軸は周波数である。また、この図において、ハッチングした模様がことなる周波数スペクトルＳ’（ｍ、ｎ、ｓ）は、送信するデータ（符号化したビット列、パケット）が異なることを示す。
【００９３】
図１６において、周波数スペクトルＳ’（ｍ、Ｎ１、１、０）、Ｓ’（ｍ、Ｎ２、２、０）、Ｓ’（ｍ、Ｎ１＋１、１、０）、Ｓ’（ｍ、Ｎ２、２、２）は、ＮＤＦＴポイントのうち周波数が高い方からＮＣＬＩＰ個のポイント、つまり、高周波数の周波数スペクトルがクリップされている。一方、周波数スペクトルＳ’（ｍ、Ｎ１＋１、１、１）、Ｓ’（ｍ、Ｎ２、２、１）、Ｓ’（ｍ、Ｎ２、２、２）は、ＮＤＦＴポイントのうち周波数が低い方からＮＣＬＩＰ個のポイント、つまり、低周波数の周波数スペクトルがクリップされている。
【００９４】
図１６において、１行目は、１番目のストリーム（第１ストリーム）では、第１の送信機会に周波数スペクトルＳ’（ｍ、Ｎ１、１、０）が送信され、その応答として移動局装置ａ３にＡＣＫが返信されたことを示す。また、１行目は、このＡＣＫに対して、第２の送信機会に、次のパケットの周波数スペクトルＳ’（ｍ、Ｎ１、１、０）が送信され、その応答として移動局装置ａ３にＮＡＫが返信されたことを示す。また、１行目は、このＮＡＫに対して、第３の送信機会に、第２の送信機会と同じ順序の周波数スペクトルであって、異なるクリップ処理が行われた周波数スペクトルＳ’（ｍ、Ｎ１、１、１）が再送されたことを示す。
【００９５】
図１６において、２行目は、２番目のストリーム（第２ストリーム）では、第１の送信機会に周波数スペクトルＳ’（ｍ、Ｎ２、１、０）が送信され、その応答として移動局装置ａ３にＮＡＫが返信されたことを示す。また、１行目は、このＮＡＫに対して、第２の送信機会に、第１の送信機会と同じ順序の周波数スペクトルであって、第１の送信機会と異なるクリップ処理が行われた周波数スペクトルＳ’（ｍ、Ｎ１、１、１）が再送されたことを示す。また、１行目は、第２の送信機会での送信の応答として、移動局装置ａ３にＮＡＫが返信されたことを示す。また、１行目は、このＮＡＫに対して、第３の送信機会に、第２の送信機会と同じ順序の周波数スペクトルであって、第２の送信機会と異なるクリップ処理が行われた周波数スペクトルＳ’（ｍ、Ｎ１、１、２）が再送されたことを示す。
このように、本実施形態では、ストリーム毎に異なるクリッピングが行われる場合もある。
【００９６】
＜基地局装置ｂ３について＞
図１７は、本実施形態に係る基地局装置ｂ３の構成を示す概略ブロック図である。この図において、基地局装置ｂ３は、Ｎｒ本のアンテナを用いてＳ個のストリームの信号を受信する。
この図において、基地局装置ｂ３は、アンテナｂ１０１−１〜ｂ１０１−Ｎｒ、受信装置ｂ３１、応答信号生成部ｂ１２１、制御信号生成部ｂ１２２、送信部ｂ１２３、及び、アンテナｂ１２４を含んで構成される。受信装置ｂ３１は、ＯＦＤＭ信号受信部ｂ１１１−１〜ｂ１１１−Ｎｒ、デマッピング部ｂ１１２−１〜ｂ１１２−Ｎｒ、デクリッピング部ｂ１１３−１〜ｂ１１３−Ｎｒ、バッファ部ｂ１１４−１〜ｂ１１４−Ｎｒ、繰り返し等化部Ｄ３、ＣＲＣ判定部ｂ１１５−１〜ｂ１１５−Ｓ、及びＰ／Ｓ（Parallel- to-Serial、パラレルシリアル）変換部ｂ３１６を含んで構成される。また、基地局装置ｂ３は、その他、基地局装置の一般的な公知の機能を備える。
【００９７】
なお、応答信号生成部ｂ１２１、制御信号生成部ｂ１２２、送信部ｂ１２３、及び、アンテナｂ１２４は、第１の実施形態のものと同様の機能を持つので説明は省略する。ただし、応答信号生成部ｂ１２１は、ＣＲＣ判定部ｂ１１５−ｓから入力されたｓ番目のストリームのＣＲＣ判定結果情報に基づいて、ｓ番目のストリームについての自動再送要求情報を生成する。制御信号生成部ｂ１２２は、ｓ番目のストリーム毎の自動再送要求情報を含む制御情報を生成する。
【００９８】
また、本実施形態と第１の実施形態と比較すると、ＯＦＤＭ信号受信部ｂ１１１−ｌ（ｌは、１≦ｌ≦Ｎｒの整数）はＯＦＤＭ信号受信部ｂ１１１、デマッピング部ｂ１１２−ｌはデマッピング部ｂ１１２、デクリッピング部ｂ１１３−ｌはデクリッピング部ｂ１１３、バッファ部ｂ１１４−ｌはバッファ部ｂ１１４、ＣＲＣ判定部ｂ１１５−ｓはＣＲＣ判定部ｂ１１５、と同様の機能を持つので説明は省略する。
【００９９】
繰り返し等化部Ｄ３は、バッファ部ｂ１１４−ｌから入力された周波数スペクトル（移動局装置ａ３がクリップしたスペクトル）を復元するための処理、及びＭＩＭＯ分離を行ない、ｓ番目のストリームのビット列を生成する（繰り返し等化処理）。なお、繰り返し等化部Ｄ３が行う繰り返し等化処理の詳細については後述する。繰り返し等化部Ｄ３は、生成したｓ番目のストリームのビット列をＣＲＣ判定部ｂ１１５−ｓに出力する。
Ｐ／Ｓ変換部ｂ３１６は、ＣＲＣ判定部ｂ１１５−１〜ｂ１１５−Ｓから入力されたＳ個のビット列をパラレルシリアル変換することで、ビット列を生成する。Ｐ／Ｓ変換部ｂ３１６は、生成したビット列を出力する。
【０１００】
図１８は、本実施形態に係る繰り返し等化部Ｄ２の構成を示す概略ブロック図である。この図において、キャンセル部Ｄ１０１−１〜Ｄ１０１−Ｎｒ、等化部Ｄ３０２、ＩＤＦＴ部Ｄ１０３−１〜Ｄ１０３−Ｓ、復調部Ｄ１０４−１〜Ｄ１０４−Ｓ、デインターリーブ部Ｄ１０５−１〜Ｄ１０５−Ｓ、復号部Ｄ１０６−１〜Ｄ１０６−Ｓ、インターリーブ部Ｄ１０７−１〜Ｄ１０７−Ｓ、レプリカ生成部Ｄ１０８−１〜Ｄ１０８−Ｓ、ＤＦＴ部Ｄ１０９−１〜Ｄ１０９−Ｓ、及び干渉レプリカ生成部Ｄ３１０を含んで構成される。
【０１０１】
本実施形態と第１の実施形態と比較すると、キャンセル部Ｄ１０１−ｌはキャンセル部Ｄ１０１、ＩＤＦＴ部Ｄ１０３−ｓはＩＤＦＴ部Ｄ１０３、復調部Ｄ１０４−ｓは復調部Ｄ１０４、デインターリーブ部Ｄ１０５−ｓはデインターリーブ部Ｄ１０５、復号部Ｄ１０６−ｓは復号部Ｄ１０６、インターリーブ部Ｄ１０７−ｓはインターリーブ部Ｄ１０７、レプリカ生成部Ｄ１０８−ｓはレプリカ生成部Ｄ１０８、ＤＦＴ部Ｄ１０９−ｓはＤＦＴ部Ｄ１０９と同様の機能を持つので説明は省略する。ただし、キャンセル部Ｄ１０１−ｌには、アンテナｂ１０１−ｌでの送信機会毎のＩＳＩレプリカ及びＩＡＩレプリカが入力される。キャンセル部Ｄ１０１−ｌは、バッファ部ｂ１１４−ｌから入力された送信機会毎の周波数スペクトルから、アンテナｂ１０１−ｌでの送信機会毎のＩＳＩレプリカ及びＩＡＩレプリカを減算する。
【０１０２】
等化部Ｄ３０２は、伝搬路推定部（図示せず）がパイロット信号を用いて推定した、上りリンクの伝搬路推定値（伝搬路行列）が入力される。なお伝搬路推定値は、本来のアンテナ間の伝搬路行列に式（１）のプリコーディング行列を乗算したものが推定される。さらに伝搬路推定値は、送信機でクリップされた周波数に関してはゼロが挿入されている。等化部Ｄ３０２は、伝搬路行列の逆行列を用いて、キャンセル部Ｄ１０１−１〜Ｄ１０１−Ｎｒから入力された送信機会毎の周波数スペクトルを、ＭＩＭＯ分離して等化し、ストリーム毎の周波数スペクトルを生成する。等化部Ｄ３０２は、等化後の送信機会毎の周波数スペクトルを送信機会毎に合成する。生成したｓ番目のストリームの周波数スペクトルはＩＤＦＴ部Ｄ１０３−ｓに出力される。
【０１０３】
干渉レプリカ生成部Ｄ３１０は、再送回数と周波数スペクトルをクリップするポイントとをストリーム毎に対応付けたクリップ情報を記憶する。具体的には、図１４の一例の場合のクリップ情報では、第１ストリーム及び第２ストリーム各々において、ｒ＝０（初送）とＮＤＦＴポイントのうち周波数が高い方からＮＣＬＩＰ個のポイントを示す情報が対応付けられ、ｒ≧１とＮＤＦＴポイントのうち周波数が低い方からＮＣＬＩＰ個のポイントを示す情報が対応付けられている。
【０１０４】
干渉レプリカ生成部Ｄ３１０は、ＤＦＴ部Ｄ１０９−ｓ各々から入力された周波数スペクトルと同じ周波数スペクトルを、現在の再送回数の個数、生成して、再送回数と対応付ける。干渉レプリカ生成部Ｄ３１０は、ｓ番目のストリーム及び再送回数毎に、対応付けられた周波数スペクトルのうち、記憶するクリップ情報で対応付けられたポイントの周波数スペクトルをクリップする。これにより、例えば、ストリーム毎に再送回数ｒ＝０と対応付けられた周波数スペクトルは、周波数が高い方からＮＣＬＩＰ個のポイントの周波数スペクトルをクリップされ、再送回数ｒ≧１と対応付けられた周波数スペクトルは、周波数が低い方からＮＣＬＩＰ個のポイントの周波数スペクトルをクリップされる。
【０１０５】
干渉レプリカ生成部Ｄ３１０は、式（１）のＮｔ行Ｓ列のプリコーディング行列を記憶し、記憶するプリコーディング行列を、クリップ後の番号ｓ毎の周波数スペクトルを成分とするベクトルに乗算する。干渉レプリカ生成部Ｄ３１０は、プリコーディング行列を乗算した周波数スペクトルに対して、伝搬路推定部（図示せず）から入力された上りリンクの伝搬路推定値（伝搬路行列）を用いて、ＩＳＩ成分とアンテナ間干渉（ＩＡＩ、Inter-Antenna Interference）成分を生成する。これにより、干渉レプリカ生成部Ｄ３１０は、アンテナｂ１０１−ｌ及び送信機会毎のＩＳＩレプリカ、及び、ＩＡＩによる干渉信号レプリカ、ＩＡＩレプリカを生成する。干渉レプリカ生成部Ｄ３１０は、生成した、アンテナｂ１０１−ｌでの送信機会毎のＩＳＩレプリカ及びＩＡＩレプリカを、キャンセル部Ｄ１０１−ｌに出力する。
【０１０６】
このように、本実施形態では、ＭＩＭＯ伝送を行う通信システムは、ストリーム毎に、情報ビット系列を再送信するときに、前の送信とは異なる周波数スペクトルＳ’（ｍ、ｎ）を生成する。つまり、通信システムでは、再送時にクリップするスペクトルを変更することで再送の効果を向上させることができる。また、通信システムでは、ストリーム毎にＣＲＣを付加することで、ストリーム毎にクリップするスペクトルを変更することができる。この結果、通信システムでは、スペクトルを変更しない場合と比較して、より効率的な再送を行なうことができる。
【０１０７】
＜変形例＞
なお、上記第１、３の実施形態において、クリッピング部Ｃ１、Ｃ１−１〜Ｃ１−Ｓは、再送回数と周波数スペクトルをクリップするポイントとを対応付けたクリッピング情報を記憶し、クリッピング情報に基づいてクリップするポイントを変更してもよい。例えば、クリッピング部Ｃ１は、再送機会に再送回数に応じてクリップするポイントを変更してもよい。
例えば、クリッピング部Ｃ１は、Ｌを０以上の整数として、ｒ＝４Ｌ＋１、４Ｌ＋２の場合には、図４の再送機会のクリップを行い、ｒ＝０、４Ｌ＋３、４Ｌ＋４の場合には、図４の初送機会のクリップを行ってもよい。また、例えば、クリッピング部Ｃ１は、ｒ＝２Ｌ＋１の場合には図４の再送機会のクリップを行い、ｒ＝２Ｌの場合には図４の初送機会のクリップを行ってもよい。つまり、偶数の伝送機会に高周波数のＮＣＬＩＰポイントの周波数スペクトルをクリップし、奇数の伝送機会に低周波数のＮＣＬＩＰポイントの周波数スペクトルをクリップしてもよい。
【０１０８】
また、上記各実施形態において、通信システムでは、周波数スペクトルの信号の配列順序を変えてもよい。さらに、通信システムでは、周波数スペクトルを送信する周波数帯域を変えてもよい。
図１９は、上記各実施形態の変形例２に係る周波数スペクトルの一例を示す概略図である。この図において、上図Ｆ１７１は、周波数スペクトルの信号に対する周波数の割り当ての一例を表す概略図であり、下図Ｆ１７２は、周波数スペクトルに対する周波数の割り当ての一例を表す概略図である。ここで、図Ｆ１７１と図Ｆ１７２の横軸は、同じものである。図Ｆ１７１において、周波数スペクトルの信号はＳ（０）〜Ｓ（５）（ＮＤＦＴポイントの信号）であり、この信号は周波数に沿って繰り返して割り当てられている。
【０１０９】
図Ｆ１７１、Ｆ１７２は、初送機会（ｒ＝０）において、周波数が高い方からＮＣＬＩＰ個のポイントに割り当てられた信号Ｓ（５）がクリップされることを示す。また、図Ｆ１７１、Ｆ１７２は、初送機会において、周波数が低い方からＮＴＸ個のポイントに割り当てられた信号Ｓ（０）〜Ｓ（４）が、送信装置から受信装置に送信されることを示す。
図Ｆ１７１、Ｆ１７２は、１回目の再送機会（ｒ＝１）において、初送機会でクリップされた信号Ｓ（５）を含み、周波数が低い方からＮＴＸ個のポイントに割り当てられた信号Ｓ（５）、Ｓ（０）〜Ｓ（３）が、送信装置から受信装置に送信されることを示す。ここで、初送機会でクリップされた信号Ｓ（５）を含み、周波数が低い方からＮＤＦＴ個のポイントに割り当てられた信号Ｓ（５）、Ｓ（０）〜Ｓ（４）が選択され、周波数が高い方からＮＣＬＩＰ個のポイントに割り当てられた信号Ｓ（４）がクリップされる。
同様に、図１９１、Ｆ１７２は、２回目の再送機会（ｒ＝２）において、Ｓ（４）、Ｓ（５）、Ｓ（０）〜Ｓ（２）が、送信装置から受信装置に送信されることを示す。
【０１１０】
図１９のように、再送時のスペクトルを定義することで、通信システムでは、再送時に未送信のスペクトルを残したまま再送を繰り返したり、同じスペクトルを何回も送信することがなくなる。なお、通信システムでは、送信帯域幅は再送毎に異なってもよく、例えば再送時には初送で送信していないスペクトルのみを送信してもよい。この場合、通信システムでは、再送毎に送信帯域幅が異なることになるが、初送では受信しなかった情報のみを受信するため、再送の効果を向上させることができる。
【０１１１】
また、上記第１、３の実施形態において、クリップしないスペクトルを配置する周波数帯域を変更してもよい。また、その周波数帯域は、前回の送信機会で送信した周波数帯域と一部が重なってもよいし、重ならなくてもよい。
図２０は、上記各実施形態の変形例３に係る周波数スペクトルの一例を示す概略図である。図２０において、図２０（Ａ）〜（Ｄ）の横軸は、各々同じ軸であり、周波数を示す。
図２０（Ａ）において、周波数スペクトルＳ（ｍ，ｎ）は、クリッピング部Ｃ１、Ｃ３に入力されたスペクトルを示す。この周波数スペクトルＳ（ｍ，ｎ）は、周波数ｆ１１１〜周波数ｆ１１２の帯域に割り当てられている。
【０１１２】
図２０（Ｂ）〜（Ｄ）は、クリッピング部Ｃ１、Ｃ３に周波数スペクトルＳ（ｍ，ｎ）が入力された場合に、初送機会及び再送機会で、マッピング部ａ１１７、ａ１１７−１〜ａ１１７−Ｎｔが出力する信号の一例を示す。例えば、初送機会（ｒ＝０）に図２０（Ａ）の周波数スペクトルＳ’（ｍ，ｎ，Ｒ１）の信号、１回目の再送機会（ｒ＝１）に図２０（Ｂ）の周波数スペクトルＳ’（ｍ，ｎ，Ｒ２）の信号、２回目の再送機会（ｒ＝２）に図２０（Ｃ）の周波数スペクトルＳ’（ｍ，ｎ，Ｒ２）の信号、をマッピング部ａ１１７、ａ１１７−１〜ａ１１７−Ｎｔが出力する。
【０１１３】
図２０（Ｂ）の周波数スペクトルＳ’（ｍ，ｎ，Ｒ１）は、周波数ｆ２１１〜周波数ｆ１１２（高周波数）の帯域がクリップされたことを示す。
図２０（Ｃ）の周波数スペクトルＳ’（ｍ，ｎ，Ｒ２）は、周波数スペクトルＳ’（ｍ，ｎ，Ｒ１）を周波数方向にシフトさせたものと同じスペクトルである。この図において、周波数スペクトルＳ’（ｍ，ｎ，Ｒ２）には、周波数ｆ３１１（≧周波数ｆ１１１）〜周波数ｆ３１２（≧周波数ｆ１１２≧周波数ｆ２１１）が割り当てられている。しかし、本発明はこれに限らず、周波数ｆ３１２は、周波数ｆ１１２より小さくてもよいし、また、周波数スペクトルＳ’（ｍ，ｎ，Ｒ２）は周波数が低い方にシフトされたものでもよい。
図２０（Ｄ）の周波数スペクトルＳ’（ｍ，ｎ，Ｒ３）は、周波数スペクトルＳ’（ｍ，ｎ，Ｒ２）の一部を周波数方向にシフトさせたものと同じスペクトルである。つまり、周波数スペクトルＳ’（ｍ，ｎ，Ｒ３）は、周波数スペクトルＳ’（ｍ，ｎ，Ｒ２）のうち、周波数ｆ３１１〜周波数ｆ４１３の成分が周波数ｆ４１１〜周波数ｆ４１２にシフトされたものと同じスペクトルである。
【０１１４】
また、上記第１、３の実施形態において、周波数スペクトルのうち中周波数の帯域をクリップしてもよい。
図２１は、上記各実施形態の変形例４に係る周波数スペクトルの一例を示す概略図である。図２１において、図２１（Ａ）〜（Ｄ）の横軸は、各々同じ軸であり、周波数を示す。
図２１（Ａ）は、図２０（Ａ）と同じ図であるので、説明は省略する。
図２１（Ｂ）〜（Ｄ）は、クリッピング部Ｃ１、Ｃ３に周波数スペクトルＳ（ｍ，ｎ）が入力された場合に、初送機会及び再送機会で、マッピング部ａ１１７、ａ１１７−１〜ａ１１７−Ｎｔが出力する信号の一例を示す。
【０１１５】
図２１（Ｂ）の周波数スペクトルＳ’（ｍ，ｎ，Ｒ１）は、周波数ｆ２２１（≧周波数ｆ１１１）〜周波数ｆ２２２（≦ｆ１１２）、つまり、中周波数の帯域がクリップされたことを示す。
図２１（Ｃ）の周波数スペクトルＳ’（ｍ，ｎ，Ｒ２）は、周波数スペクトルＳ’（ｍ，ｎ，Ｒ１）を周波数方向にシフトさせ、スペクトルを周波数軸で連続にしたものと同じスペクトルである。つまり、周波数スペクトルＳ’（ｍ，ｎ，Ｒ２）は、周波数スペクトルＳ’（ｍ，ｎ，Ｒ１）のうち、周波数ｆ２２２〜周波数ｆ１１２の成分が周波数ｆ３２２〜周波数ｆ３２３にシフトされ、周波数ｆ１１１〜周波数ｆ２２１の成分が周波数ｆ３２１〜周波数ｆ３２２にシフトされたものと同じスペクトルである。
図２１（Ｄ）の周波数スペクトルＳ’（ｍ，ｎ，Ｒ３）は、周波数スペクトルＳ’（ｍ，ｎ，Ｒ２）の一部を周波数方向にシフトさせたものと同じスペクトルである。つまり、周波数スペクトルＳ’（ｍ，ｎ，Ｒ３）は、周波数スペクトルＳ’（ｍ，ｎ，Ｒ２）のうち、周波数ｆ３２１〜周波数ｆ３２２の成分が周波数ｆ４２１〜周波数ｆ４２２にシフトされたものと同じスペクトルである。
【０１１６】
また、上記第１、３の実施形態に係る発明と第２の実施形態に係る発明を組み合わせてもよい。例えば、第１、３の実施形態において、第２の実施形態のように、再送回数に応じてクリッピング幅を変更してもよい。
また、上記各実施形態において、周波数スペクトルをクリップするポイントは連続していなくてもよい。
【０１１７】
また、上記第２の実施形態において、クリッピング部Ｃ２が再送機会においてＮＣＬＩＰ＝０とする場合について説明したが、本発明はこれに限らず、ＮＣＬＩＰ＝０とはせずに、クリッピングを行なうポイント数の割合（あるいはポイント数ＮＣＬＩＰ）を再送において減少させてもよい。また、クリッピング部Ｃ２は、複数回の再送を行なう場合、再送毎にクリッピングを行なうポイント数の割合（あるいはポイント数ＮＣＬＩＰ）を減少させてもよい。
【０１１８】
なお、上述した実施形態における移動局装置ａ１、ａ２、ｂ３、基地局装置ｂ１、ｂ２、ａ３の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置ａ１、ａ２、ｂ３、又は基地局装置ｂ１、ｂ２、ａ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における移動局装置ａ１、ａ２、ｂ３、及び基地局装置ｂ１、ｂ２、ａ３の一部、または全部を、ＬＳＩ（Ｌａｒｇｅ  Ｓｃａｌｅ  Ｉｎｔｅｇｒａｔｉｏｎ）等の集積回路として実現しても良い。移動局装置ａ１、ａ２、ｂ３、及び基地局装置ｂ１、ｂ２、ａ３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１１９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１２０】
１、ａ１、ａ２、ａ３・・・移動局装置、２、ｂ１、ｂ２、ｂ３・・・基地局装置ｂ１０１・・・アンテナ、ａ１０２・・・受信部、ａ１０３・・・制御信号抽出部、ａ１０４・・・応答信号抽出部、ａ１１、ａ２１、ａ３１・・・送信装置、ａ１１１、ａ１１１−１〜ａ１１１−Ｓ・・・ＣＲＣ付加部、ａ１１２、ａ１１２−１〜ａ１１２−Ｓ・・・符号化部、ａ１１３、ａ１１３−１〜ａ１１３−Ｓ・・・インターリーブ部、ａ１１４、ａ１１４−１〜ａ１１４−Ｓ・・・変調部、ａ１１５、ａ１１５−１〜ａ１１５−Ｓ・・・ＤＦＴ部、ａ１１６、ａ２１６、ａ１１６−１〜ａ１１６−Ｓ・・・バッファ部、Ｃ１、Ｃ２、Ｃ１−１〜Ｃ１−Ｓ・・・クリッピング部、ａ１１７、ａ１１７−１〜ａ１１７−Ｎｔ・・・マッピング部、ａ１１８、ａ１１８−１〜ａ１１８−Ｎｔ・・・ＯＦＤＭ信号生成部、ａ１２１、ｂ１２１−１〜ｂ１２１−Ｎｔ・・・アンテナ、ｂ１０１、ｂ１０１−１〜ｂ１０１−Ｎｒ・・・アンテナ、ｂ１１、ｂ２１、ｂ３１・・・受信装置、ｂ１２１、ａ１２１−１〜ａ１２１−Ｎｔ・・・応答信号生成部、ｂ１２２・・・制御信号生成部、ｂ１２３・・・送信部、ｂ１２４・・・アンテナ、ｂ１１１、ｂ１１１−１〜ｂ１１１−Ｎｒ・・・ＯＦＤＭ信号受信部、ｂ１１２、ｂ１１２−１〜ｂ１１２−Ｎｒ・・・デマッピング部、ｂ１１３、ｂ２１３、ｂ１１３−１〜ｂ１１３−Ｎｒ・・・デクリッピング部、ｂ１１４、ｂ１１４−１〜ｂ１１４−Ｎｒ・・・、バッファ部、Ｄ１、Ｄ２、Ｄ３、・・・繰り返し等化部、ｂ１１５、ｂ１１５−１〜ｂ１１５−Ｓ・・・ＣＲＣ判定部、Ｄ１０１、Ｄ２０１−０〜Ｄ２０１−Ｒ、Ｄ１０１−１〜Ｄ１０１−Ｎｒ・・・キャンセル部、Ｄ１０２、Ｄ２０２−０〜Ｄ２０２−Ｒ、Ｄ３０２・・・等化部、Ｄ１０３、Ｄ２０３−０〜Ｄ２０３−Ｒ、Ｄ１０３−１〜Ｄ１０３−Ｓ・・・ＩＤＦＴ部、Ｄ１０４、Ｄ２０４−０〜Ｄ２０４−Ｒ、Ｄ１０４−１〜Ｄ１０４−Ｓ・・・復調部、Ｄ１０５、Ｄ２０５、Ｄ１０５−１〜Ｄ１０５−Ｓ・・・デインターリーブ部、Ｄ１０６、Ｄ２０６、Ｄ１０６−１〜Ｄ１０６−Ｓ・・・復号部、Ｄ１０７、Ｄ２０７−０〜Ｄ２０７−Ｒ、Ｄ１０７−１〜Ｄ１０７−Ｓ・・・インターリーブ部、Ｄ１０８、Ｄ２０８−０〜Ｄ２０８−Ｒ、Ｄ１０８−１〜Ｄ１０８−Ｓ・・・レプリカ生成部、Ｄ１０９、Ｄ２０９−０〜Ｄ２０９−Ｒ、Ｄ１０９−１〜Ｄ１０９−Ｓ・・・ＤＦＴ部、Ｄ１１０、Ｄ２１０−０〜Ｄ２１０−Ｒ、Ｄ３１０・・・ＩＳＩレプリカ生成部、Ｄ２１１・・・尤度合成部、Ｄ２１２・・・送信信号生成部、ａ３１０・・・Ｓ／Ｐ変換部、ａ３１９・・・プリコーディング部、ｂ３１６・・・Ｐ／Ｓ変換部
【図１】
0005770464.tif 000003
【図２】
0005770464.tif 000004
【図３】
0005770464.tif 000005
【図４】
0005770464.tif 000006
【図５】
0005770464.tif 000007
【図６】
0005770464.tif 000008
【図７】
0005770464.tif 000009
【図８】
0005770464.tif 000010
【図９】
0005770464.tif 000011
【図１０】
0005770464.tif 000012
【図１１】
0005770464.tif 000013
【図１２】
0005770464.tif 000014
【図１３】
0005770464.tif 000015
【図１４】
0005770464.tif 000016
【図１５】
0005770464.tif 000017
【図１６】
0005770464.tif 000018
【図１７】
0005770464.tif 000019
【図１８】
0005770464.tif 000020
【図１９】
0005770464.tif 000021
【図２０】
0005770464.tif 000022
【図２１】
0005770464.tif 000023
【図２２】
0005770464.tif 000024
【図２３】
0005770464.tif 000025
【図２４】
0005770464.tif 000026